(57)【要約】  本発明の被監視者監視システムは、センサ装置における所定のイベントを、中央処理装置を介して、前記センサ装置で生成した動画を表示できる端末装置に通知する。そして、本発明の前記中央処理装置およびその方法は、前記所定のイベントの通知を受けた場合に前記動画をライブで閲覧できる閲覧時間である動画閲覧時間を記憶部に記憶し、前記記憶部に記憶した動画閲覧時間を前記端末装置へ送信して前記所定のイベントの通知を受けた場合に前記動画閲覧時間だけ前記動画をライブで前記端末装置に表示させる。
2017010138.tif 000002
【特許請求の範囲】
【請求項１】
被監視者における所定の行動を検知するためのセンサ装置と、所定のイベントが前記センサ装置で生じた場合に前記所定のイベントの通知を受け、前記センサ装置で生成された動画を表示するための端末装置と、前記センサ装置および前記端末装置それぞれと通信可能に接続され、前記センサ装置から前記所定のイベントの通知を受けて前記端末装置へ通知するための中央処理装置とを備える被監視者監視システムの前記中央処理装置であって、
前記所定のイベントの通知を受けた場合に前記動画をライブで閲覧できる閲覧時間である動画閲覧時間を記憶する記憶部と、
前記記憶部に記憶した動画閲覧時間を前記端末装置へ送信して前記所定のイベントの通知を受けた場合に前記動画閲覧時間だけ前記動画をライブで前記端末装置に表示させる動画閲覧時間送信設定部とを備える、
被監視者監視システムの中央処理装置。
【請求項２】
前記所定のイベントがナースコールである、
請求項１に記載の被監視者監視システムの中央処理装置。
【請求項３】
前記ナースコール動画閲覧時間は、０である、
請求項１または請求項２に記載の被監視者監視システムの中央処理装置。
【請求項４】
前記記憶部は、前記動画をライブで閲覧できる閲覧時間である動画閲覧時間をさらに記憶し、
前記動画閲覧時間送信設定部は、前記記憶部に記憶した動画閲覧時間を前記端末装置へ送信して前記動画閲覧時間だけ前記動画をライブで前記端末装置に表示させ、
前記動画閲覧時間を受け付ける動画閲覧時間受付部と、
前記動画閲覧時間受付部で受け付けた前記動画閲覧時間を前記記憶部に記憶する動画閲覧時間処理部とをさらに備えること
を特徴とする請求項１または請求項２に記載の被監視者監視システムの中央処理装置。
【請求項５】
前記動画閲覧時間は、前記所定のイベントにおける前記検知事象の種別ごとに複数であり、
前記動画閲覧時間送信設定部は、前記記憶部に記憶した前記種別ごとの複数の動画閲覧時間のうちの、前記所定のイベントの通知を受けた場合において前記通知を受けた前記所定のイベントにおける前記検知事象の種別に応じた動画閲覧時間を、前記端末装置へ送信して、前記動画閲覧時間だけ前記動画をライブで前記端末装置に表示させること
を特徴とする請求項４に記載の被監視者監視システムの中央処理装置。
【請求項６】
前記端末装置は、複数であり、
前記動画閲覧時間は、前記複数の端末装置ごとに複数であり、
前記動画閲覧時間送信設定部は、前記記憶部に記憶した前記複数の端末装置ごとの複数の動画閲覧時間のうちの、送信先の端末装置に対応する動画閲覧時間を、前記送信先の端末装置へ送信して、前記動画閲覧時間だけ前記動画をライブで前記送信先の端末装置に表示させること
を特徴とする請求項４に記載の被監視者監視システムの中央処理装置。
【請求項７】
前記動画閲覧時間は、時間帯別ごとに複数であり、
前記動画閲覧時間送信設定部は、前記記憶部に記憶した前記時間帯別ごとの複数の動画閲覧時間のうちの、送信時刻を含む時間帯に対応する動画閲覧時間を、前記端末装置へ送信して、前記動画閲覧時間だけ前記動画をライブで前記端末装置に表示させること
を特徴とする請求項４に記載の被監視者監視システムの中央処理装置。
【請求項８】
被監視者における所定の行動を検知するためのセンサ装置と、所定のイベントが前記センサ装置で生じた場合に前記所定のイベントの通知を受け、前記センサ装置で生成された動画を表示するための端末装置と、前記センサ装置および前記端末装置それぞれと通信可能に接続され、前記センサ装置から前記所定のイベントの通知を受けて前記端末装置へ通知するための中央処理装置とを備える被監視者監視システムの前記中央処理装置で実行される中央処理方法であって、
前記所定のイベントの通知を受けた場合に前記動画をライブで閲覧できる閲覧時間である動画閲覧時間を記憶部に記憶する記憶工程と、
前記記憶部に記憶した動画閲覧時間を前記端末装置へ送信して前記所定のイベントの通知を受けた場合に前記動画閲覧時間だけ前記動画をライブで前記端末装置に表示させる動画閲覧時間送信設定工程とを備える、
中央処理方法。
【請求項９】
被監視者における所定の行動を検知するためのセンサ装置と、所定のイベントが前記センサ装置で生じた場合に前記所定のイベントの通知を受け、前記センサ装置で生成された動画を表示するための端末装置と、前記センサ装置および前記端末装置それぞれと通信可能に接続され、前記センサ装置から前記所定のイベントの通知を受けて前記端末装置へ通知するための中央処理装置とを備える被監視者監視システムであって、
前記中央処理装置は、請求項１ないし請求項７のいずれか１項に記載の中央処理装置である、
被監視者監視システム。
【発明の詳細な説明】
【技術分野】
【０００１】
本発明は、被監視者を監視するための被監視者監視システムにおける中央処理装置および中央処理方法ならびに前記被監視者監視システムに関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。また、２００５年では、総人口約１億２７６５万人に対し６５歳以上の高齢者人口は、約２５５６万人であったのに対し、２０２０年では、総人口約１億２４１１万人に対し高齢者人口は、約３４５６万人となる予測もある。このような高齢化社会では、病気や怪我や高齢等による看護や介護を必要とする要看護者や要介護者（要看護者等）は、高齢化社会ではない通常の社会で生じる要看護者等よりもその増加が見込まれる。そして、我が国は、例えば２０１３年の合計特殊出生率が１．４３という少子化社会でもある。そのため、看護や介護の必要な高齢者を高齢の家族（配偶者、子、兄弟）が介護する老老介護も起きて来ている。【０００３】
要看護者や要介護者は、病院や、老人福祉施設（日本の法令では老人短期入所施設、養護老人ホームおよび特別養護老人ホーム等）等の施設に入所し、その看護や介護を受ける。このような施設では、要看護者等が、例えばベッドからの転落や歩行中の転倒等によって怪我を負ったり、ベッドから抜け出して徘徊したりするなどの事態が生じ得る。このような事態に対し、可及的速やかに対応する必要があり、また、このような事態を放置しておくとさらに重大な事態に発展してしまう可能性もあるため、前記施設では、看護師や介護士等は、定期的に巡視することによってその安否や様子を確認している。【０００４】
しかしながら、要看護者等の増加数に対し看護師等の増加数が追い付かずに、看護業界や介護業界では、慢性的に人手不足になっている。さらに、日勤の時間帯に較べ、準夜勤や夜勤の時間帯では、看護師や介護士等の人数が減るため、一人当たりの業務負荷が増大するので、前記業務負荷の軽減が要請される。また、前記老老介護の事態は、前記施設でも例外ではなく、高齢の要看護者等を高齢の看護師等がケアすることもしばしば見られる。一般に高齢になると体力が衰えるため、健康であっても若い看護師等に比し看護等の負担が重くなり、また、その動きや判断も遅くなる。【０００５】
このような人手不足や看護師等の負担を軽減するため、看護業務や介護業務を補完する技術が求められている。このため、近年では、要看護者等の、監視すべき監視対象である被監視者を監視（モニタ）する被監視者監視技術が研究、開発されている。【０００６】
このような技術の一つとして、例えば特許文献１に開示されたナースコールシステムがある。この特許文献１に開示されたナースコールシステムは、ベッドに設置されて患者が看護師を呼び出すためのナースコール子機と、ナースステーションに設置されて前記ナースコール子機による呼び出しに応答するためのナースコール親機とを有するナースコールシステムであって、ベッド上の患者をベッド上方から撮像するカメラと、前記カメラの撮像映像から、患者が上半身を起こした状態および患者がベッド上から離れた状態のうち少なくとも一方の発生を判断して注意状態発生信号を出力する状態判断手段とを有し、前記ナースコール親機は、前記注意状態発生信号を受けて報知動作する報知手段を有する。そして、前記ナースコール親機は、映像を表示するモニタおよび前記注意状態発生信号を受信したら前記モニタに前記カメラの撮像映像を表示させる映像制御部を有する。【０００７】
一方、安否確認の点では、一人暮らしの独居者も前記要介護者等と同様であり、被監視対象者となる。【０００８】
ところで、前記特許文献１に開示されたナースコールシステムでは、ナースコール親機は、モニタによって患者の映像を表示するので、看護師は、このモニタの映像を参照することで患者の行動を観察できる。しかしながら、ナースコールの呼び出しや注意状態発生信号の報知を受けた際に、前記呼び出しや前記報知に応じて患者の所に行くべきか否かを判断するために、ついモニタの映像を見続けてしまい、対処に遅れてしまう虞がある。また、患者の映像の閲覧は、患者のプライバシーの問題もあるため、必要最小限であることが好ましい。そして、患者やその家族等に対し、患者の映像の閲覧は、必要最小限であると説明したいとの要望もある。
【先行技術文献】
【特許文献】
【０００９】
【特許文献１】特開２０１４−９０９１３号公報
【発明の概要】
【００１０】
本発明は、上述の事情に鑑みて為された発明であり、その目的は、ライブ映像の閲覧時間を可変できる被監視者監視システムの中央処理装置および中央処理方法ならびに前記被監視者監視システムを提供することである。
【００１１】
本発明にかかる被監視者監視システムは、センサ装置における所定のイベントを、中央処理装置を介して、前記センサ装置で生成した動画を表示できる端末装置に通知する。そして、本発明にかかる前記中央処理装置およびその方法は、前記所定のイベントの通知を受けた場合に前記動画をライブで閲覧できる閲覧時間である動画閲覧時間を記憶部に記憶し、前記記憶部に記憶した動画閲覧時間を前記端末装置へ送信して前記所定のイベントの通知を受けた場合に前記動画閲覧時間だけ前記動画をライブで前記端末装置に表示させる。したがって、本発明にかかる被監視者監視システムの中央処理装置および中央処理方法ならびに被監視者監視システムは、ライブ映像の閲覧時間を可変できる。
【００１２】
上記並びにその他の本発明の目的、特徴及び利点は、以下の詳細な記載と添付図面から明らかになるであろう。
【図面の簡単な説明】
【００１３】
【図１】実施形態における被監視者監視システムの構成を示す図である。
【図２】前記被監視者監視システムにおけるセンサ装置の構成を示す図である。
【図３】前記被監視者監視システムにおける管理サーバ装置の構成を示す図である。
【図４】前記被監視者監視システムにおける携帯端末装置の構成を示す図である。
【図５】前記被監視者監視システムにおける送信先情報テーブルの構成を示す図である。
【図６】前記被監視者監視システムにおける第１態様の動画閲覧時間情報テーブルの構成を示す図である。
【図７】前記被監視者監視システムにおける動画閲覧時間入力設定画面を示す図である。
【図８】前記被監視者監視システムにおける管理サーバ装置の動作を示すフローチャートである。
【図９】前記被監視者監視システムの動作を示すシーケンス図である。
【図１０】前記被監視者監視システムにおける携帯端末装置の画面遷移を説明するための図である。
【図１１】前記被監視者監視システムにおける携帯端末装置のライブ動画切断画面を示す図である。
【図１２】前記被監視者監視システムにおける第２態様の動画閲覧時間情報テーブルの構成を示す図である。
【図１３】前記被監視者監視システムにおける第３態様の動画閲覧時間情報テーブルの構成を示す図である。
【図１４】前記被監視者監視システムにおける第４態様の動画閲覧時間情報テーブルの構成を示す図である。
【発明を実施するための形態】
【００１４】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１５】
図１は、実施形態における被監視者監視システムの構成を示す図である。図２は、実施形態の被監視者監視システムにおけるセンサ装置の構成を示す図である。図３は、実施形態の被監視者監視システムにおける管理サーバ装置の構成を示す図である。図４は、実施形態の被監視者監視システムにおける携帯端末装置の構成を示す図である。図５は、実施形態の被監視者監視システムにおける送信先情報テーブルの構成を示す図である。図６は、実施形態の被監視者監視システムにおける第１態様の動画閲覧時間情報テーブルの構成を示す図である。
【００１６】
実施形態における被監視者監視システムは、監視すべき（見守るべき）監視対象（見守り対象）である被監視者（見守り対象者）Ｏｂを検知して前記被監視者Ｏｂを複数の機器によって監視するものである。より具体的には、被監視者監視システムは、ナースコールを受け付け、動画を生成し、被監視者における所定の行動を検知するためのセンサ装置と、前記センサ装置と通信可能に接続され、前記ナースコールを受け付けた受付事象（受付イベント）および前記所定の行動を検知した検知事象（検知イベント）を含む所定のイベント（事象）が前記センサ装置で生じた場合に前記所定のイベントの通知を受け、前記センサ装置との間で通話し、前記センサ装置で生成された動画を表示するための端末装置と、前記センサ装置および前記端末装置それぞれと通信可能に接続され、前記センサ装置から前記所定のイベントの通知を受けて前記所定のイベントを管理し、前記受けた前記所定のイベントを前記端末装置へ通知するための中央処理装置とを備える。
【００１７】
このような被監視者監視システムＭＳは、例えば、図１に示すように、１または複数のセンサ装置ＳＵ（ＳＵ−１〜ＳＵ−４）と、管理サーバ装置ＳＶと、固定端末装置ＳＰと、１または複数の携帯端末装置ＴＡ（ＴＡ−１、ＴＡ−２）とを備え、これらは、有線や無線で、ＬＡＮ（Ｌｏｃａｌ  Ａｒｅａ  Ｎｅｔｗｏｒｋ）、電話網およびデータ通信網等の網（ネットワーク、通信回線）ＮＷを介して通信可能に接続される。ネットワークＮＷには、通信信号を中継する例えばリピーター、ブリッジ、ルーターおよびクロスコネクト等の中継機が備えられても良い。図１に示す例では、これら複数のセンサ装置ＳＵ−１〜ＳＵ−４、管理サーバ装置ＳＶ、固定端末装置ＳＰおよび複数の携帯端末装置ＴＡ−１、ＴＡ−２は、アクセスポイントＡＰを含む無線ＬＡＮ（例えばＩＥＥＥ８０２．１１規格に従ったＬＡＮ等）ＮＷによって互いに通信可能に接続されている。センサ装置ＳＵは、前記センサ装置の一例に相当し、管理サーバ装置ＳＶは、前記中央処理装置の一例に相当し、固定端末装置ＳＰおよび携帯端末装置ＴＡそれぞれは、前記端末装置の一例に相当する。
【００１８】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーションＳＴ等の複数の部屋を備える介護施設の建物に配設されている。
【００１９】
まず、センサ装置ＳＵについて説明する。センサ装置ＳＵは、ネットワークＮＷを介して他の装置ＳＶ、ＳＰ、ＴＡと通信する通信機能を備え、被監視者Ｏｂのナースコールを受け付け、動画を生成し、被監視者Ｏｂにおける所定の行動を検知し、前記ナースコールを受け付けた受付事象（受付イベント）および前記所定の行動を検知した検知事象（検知イベント）を含む所定のイベント（事象）がセンサ装置ＳＵで生じた場合に前記所定のイベントを管理サーバ装置ＳＶへ送信して通知する装置である。このようなセンサ装置ＳＵは、例えば、図２に示すように、センサ部１１と、センサ音入出力部（ＳＵ音入出力部）１２と、ナースコール入力部１３と、センサ制御処理部（ＳＵ制御処理部）１４と、センサ通信インターフェース部（ＳＵ通信ＩＦ部）１５と、センサ記憶部（ＳＵ記憶部）１６とを備える。
【００２０】
センサ部１１は、ＳＵ制御処理部１４に接続され、ＳＵ制御処理部１４の制御に従って、被監視者Ｏｂにおける予め設定された所定の諸量を検出する装置である。前記所定の諸量は、被監視者Ｏｂにおける検知すべき所定の行動に応じて適宜に決定される。本実施形態では、前記所定の行動は、被監視者Ｏｂの起床、離床、転倒、転落および微体動異常であり、これらを検知するために、センサ部１１は、例えば、ドップラセンサ１１１と、カメラ１１２とを備える。
【００２１】
ドップラセンサ１１１は、送信波を送信し、物体で反射した前記送信波の反射波を受信し、前記送信波と前記反射波とに基づいてドップラ周波数成分のドップラ信号を出力する体動センサである。前記物体が動いている場合、いわゆるドップラ効果により前記物体の動いている速度に比例して反射波の周波数がシフトするため、送信波の周波数と反射波の周波数とに差（ドップラ周波数成分）が生じる。ドップラセンサ１１１は、このドップラ周波数成分の信号をドップラ信号として生成し、ＳＵ制御処理部１４へ出力する。前記送信波は、超音波やマイクロ波等であって良いが、本実施形態では、マイクロ波である。マイクロ波は、着衣を透過して被監視者Ｏｂの体表で反射できるため、被監視者Ｏｂが衣服を着ていても体表の動きを検知でき、好ましい。
【００２２】
カメラ１１２は、ＳＵ制御処理部１４に接続され、ＳＵ制御処理部１４の制御に従って、画像（画像データ）を生成する装置である。カメラ１１２は、監視すべき監視対象である被監視者Ｏｂが所在を予定している空間（所在空間、図１に示す例では配設場所の居室ＲＭ）を監視可能に配置され、前記所在空間を撮像対象としてその上方から撮像し、前記撮像対象を俯瞰した画像（画像データ）を生成し、前記撮像対象の画像をＳＵ制御処理部１４へ出力する。好ましくは、被監視者Ｏｂ全体を撮像できる蓋然性が高いことから、カメラ１１２は、被監視者Ｏｂが横臥する寝具（例えばベッド等）における、被監視者Ｏｂの頭部が位置すると予定されている予め設定された頭部予定位置（通常、枕の配設位置）の直上から撮像対象を撮像できるように配設される。センサ装置ＳＵは、このセンサ部１１のカメラ１１２によって、被監視者Ｏｂを、被監視者Ｏｂの上方から撮像した画像、好ましくは前記頭部予定位置の直上から撮像した画像を取得する。
【００２３】
このようなカメラ１１２は、可視光の画像を生成する装置であって良いが、比較的暗がりでも被監視者Ｏｂを監視できるように、本実施形態では、赤外線の画像を生成する装置である。このようなカメラ１１２は、例えば、本実施形態では、撮像対象における赤外の光学像を所定の結像面上に結像する結像光学系、前記結像面に受光面を一致させて配置され、前記撮像対象における赤外の光学像を電気的な信号に変換するイメージセンサ、および、イメージセンサの出力を画像処理することで前記撮像対象における赤外の画像を表すデータである画像データを生成する画像処理部等を備えるデジタル赤外線カメラである。カメラ１１２の結像光学系は、本実施形態では、その配設された居室ＲＭ全体を撮像できる画角を持つ広角な光学系（いわゆる広角レンズ（魚眼レンズを含む））であることが好ましい。また、前記所在空間を赤外線で照明する赤外線照明装置がさらに設けられても良い。
【００２４】
ＳＵ音入出力部１２は、ＳＵ制御処理部１４に接続され、外部の音を取得してセンサ装置ＳＵに入力するための回路であって、ＳＵ制御処理部１４の制御に従って音を表す電気信号に応じた音を生成して出力するための回路である。ＳＵ音入出力部１２は、例えば、音の音響振動を電気信号に変換するマイクロホン等と、音の電気信号を音の音響振動に変換するスピーカ等とを備えて構成される。ＳＵ音入出力部１２は、外部の音を表す電気信号をＳＵ制御処理部１４へ出力し、また、ＳＵ制御処理部１４から入力された電気信号を音の音響振動に変換して出力する。
【００２５】
ナースコール入力部１３は、ＳＵ制御処理部１４に接続され、ナースコールする場合に前記ナースコールをセンサ装置ＳＵに入力するための回路であり、例えば、押しボタン式スイッチ等である。ナースコール入力部１３が入力操作されると、ナースコールを受け付けた旨を示す電気信号がナースコール入力部１３からＳＵ制御処理部１４へ出力される。
【００２６】
ＳＵ通信ＩＦ部１５は、ＳＵ制御処理部１４に接続され、ＳＵ制御処理部１４の制御に従って通信を行うための通信回路である。ＳＵ通信ＩＦ部１５は、ＳＵ制御処理部１４から入力された転送すべきデータを収容した通信信号を、この被監視者監視システムＭＳのネットワークＮＷで用いられる通信プロトコルに従って生成し、この生成した通信信号をネットワークＮＷを介して他の装置ＳＶ、ＳＰ、ＴＡへ送信する。ＳＵ通信ＩＦ部１５は、ネットワークＮＷを介して他の装置ＳＶ、ＳＰ、ＴＡから通信信号を受信し、この受信した通信信号からデータを取り出し、この取り出したデータをＳＵ制御処理部１４が処理可能な形式のデータに変換してＳＵ制御処理部１４へ出力する。なお、ＳＵ通信ＩＦ部１５は、さらに、例えば、Ｂｌｕｅｔｏｏｔｈ（登録商標）規格、ＩｒＤＡ（Ｉｎｆｒａｒｅｄ  Ｄａｔａ  Ａｓｓｃｏｉａｔｉｏｎ）規格およびＵＳＢ（Ｕｎｉｖｅｒｓａｌ  Ｓｅｒｉａｌ  Ｂｕｓ）規格等の規格を用い、外部機器との間でデータの入出力を行うインターフェース回路を備えても良い。
【００２７】
ＳＵ記憶部１６は、ＳＵ制御処理部１４に接続され、ＳＵ制御処理部１４の制御に従って、各種の所定のプログラムおよび各種の所定のデータを記憶する回路である。前記各種の所定のプログラムには、例えば、被監視者Ｏｂに対する監視に関する情報処理を実行する監視処理プログラム等の制御処理プログラムが含まれる。前記監視処理プログラムには、センサ部１の出力に基づいて被監視者Ｏｂにおける所定の行動を検知する行動検知プログラム、前記ナースコールを受け付けた受付事象（受付イベント）および前記所定の行動を検知した検知事象（検知イベント）を含む所定のイベント（事象）がセンサ装置ＳＵで生じた場合に前記所定のイベントを外部に通知する通知処理プログラム、カメラ１１２で撮像した動画を、その動画を要求した固定端末装置ＳＰや携帯端末装置ＴＡへストリーミングで配信するストリーミング処理プログラム、および、ＳＵ音入出力部２等を用いることで固定端末装置ＳＰや携帯端末装置ＴＡとの間で音声通話を行うナースコール処理プログラム等が含まれる。前記各種の所定のデータには、これら各プログラムを実行する上で必要なデータや、被監視者Ｏｂを監視する上で必要なデータ等が含まれる。ＳＵ記憶部１６は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。そして、ＳＵ記憶部１６は、前記所定のプログラムの実行中に生じるデータ等を記憶するいわゆるＳＵ制御処理部１４のワーキングメモリとなるＲＡＭ（Ｒａｎｄｏｍ  Ａｃｃｅｓｓ  Ｍｅｍｏｒｙ）等を含む。
【００２８】
ＳＵ制御処理部１４は、センサ装置ＳＵの各部を当該各部の機能に応じてそれぞれ制御し、ナースコールを受け付け、動画を生成し、被監視者Ｏｂにおける予め設定された所定の行動を検知するための回路である。ＳＵ制御処理部１４は、例えば、ＣＰＵ（Ｃｅｎｔｒａｌ  Ｐｒｏｃｅｓｓｉｎｇ  Ｕｎｉｔ）およびその周辺回路を備えて構成される。ＳＵ制御処理部１４は、前記制御処理プログラムが実行されることによって、センサ制御部（ＳＵ制御部）１４１、行動検知処理部１４２、通知処理部１４３、ストリーミング処理部１４４およびナースコール処理部１４５を機能的に備える。
【００２９】
ＳＵ制御部１４１は、センサ装置ＳＵの各部を当該各部の機能に応じてそれぞれ制御し、センサ装置ＳＵの全体制御を司るものである。
【００３０】
行動検知処理部１４２は、センサ部１１の出力に基づいて被監視者Ｏｂにおける、予め設定された所定の行動を検知するものである。本実施形態では、上述したように、前記所定の行動は、被監視者Ｏｂの起床、離床、転倒、転落および微体動異常であり、行動検知処理部１４２は、センサ部１１の出力に基づいて被監視者Ｏｂにおける起床、離床、転倒、転落および微体動異常をイベント、より具体的には検知イベントとして検知し、その検知イベントの種別を含めて検知イベントを通知処理部１４３へ通知する。行動検知処理部１４２は、センサ部１１の出力に基づいて被監視者Ｏｂの起床、離床、転倒、転落および微体動異常を検知する。例えば、行動検知処理部１４２は、センサ部１１のカメラ１１２によって取得した画像から被監視者Ｏｂの人体領域として動体領域を抽出し、この抽出した動体領域の縦横比から被監視者Ｏｂの姿勢（例えば立位、座位および横臥等）を判定し、この検出した動体領域の位置を検出し、これら判定、検出した被監視者Ｏｂの姿勢および位置に基づいて前記起床、離床、転倒および転落の別を判定する。例えば、行動検知処理部１４２は、ベッド領域内で横臥姿勢から座位姿勢への移行を検知した場合、起床と判定し、起床のイベント（起床イベント）が発生したと判定する。また例えば、行動検知処理部１４２は、ベッド領域内からベッド領域外へ座位姿勢から立位姿勢への移行を検知した場合、離床と判定し、離床のイベント（離床イベント）が発生したと判定する。また例えば、行動検知処理部１４２は、ベッド領域内からベッド領域外への移行であってベッド領域外での横臥姿勢を検知した場合、転落と判定し、転落のイベント（転落イベント）が発生したと判定する。また例えば、行動検知処理部１４２は、ベッド領域外で座位姿勢や立位姿勢から横臥姿勢への移行を検知した場合、転倒と判定し、転倒のイベント（転倒イベント）が発生したと判定する。また、行動検知処理部１４２は、センサ部１１のドップラセンサ１１１によって被監視者Ｏｂの呼吸動作に伴う胸部の体動（胸部の上下動）を検出し、その胸部の体動における周期の乱れや予め設定された閾値以下である前記胸部の体動における振幅を検知すると、前記微体動異常と判定し、微体動異常のイベント（微体動異常イベント）が発生したと判定する。
【００３１】
ナースコール処理部１４５は、ナースコール入力部１３で入力操作を受け付けた場合に、イベント、より具体的にはナースコールのイベント（受付イベント、ナースコールイベント）を通知処理部１４３へ通知するものである。そして、ナースコール処理部１４５は、ＳＵ通信ＩＦ部１５およびネットワークＮＷを介して、固定端末装置ＳＰまたは携帯端末装置ＴＡとの間で音声通話を可能にするものである。
【００３２】
通知処理部１４３は、ナースコール入力部１３でナースコールを受け付けた受付イベントおよびセンサ部１で被監視者Ｏｂにおける所定の行動を検知した検知イベント（本実施形態では、起床、離床、転倒、転落および微体動異常の各イベント）を含む所定のイベントがセンサ装置ＳＵで生じた場合に前記所定のイベントを外部に通知するものである。より具体的には、通知処理部１４３は、生じたイベントの種別を表す情報（イベント情報（本実施形態では起床、離床、転倒、転落微体動異常およびナースコールの各イベントのうちの１または複数を表す情報））、前記被監視者Ｏｂを検知しているセンサ装置ＳＵを特定し識別するための識別子情報（被監視者Ｏｂを特定し識別するための識別子情報）、および、前記所定の行動の検知に用いられた画像等を収容した通信信号（第１イベント通知通信信号）を生成し、ＳＵ通信ＩＦ部１５からネットワークＮＷを介して管理サーバ装置ＳＶへ送信する。
【００３３】
ストリーミング処理部１４４は、ネットワークＮＷおよびＳＵ通信ＩＦ部１５を介して固定端末装置ＳＰまたは携帯端末装置ＴＡから動画の配信の要求があった場合に、この要求のあった固定端末装置ＳＰまたは携帯端末装置ＴＡへ、センサ部１１のカメラ１１２で生成した動画（例えばライブの動画）をストリーミング再生でＳＵ通信ＩＦ部１５およびネットワークＮＷを介して配信するものである。
【００３４】
図１には、一例として、４個の第１ないし第４センサ装置ＳＵ−１〜ＳＵ−４が示されており、第１センサ装置ＳＵ−１は、被監視者Ｏｂの一人であるＡさんＯｂ−１の居室ＲＭ−１（不図示）に配設され、第２センサ装置ＳＵ−２は、被監視者Ｏｂの一人であるＢさんＯｂ−２の居室ＲＭ−２（不図示）に配設され、第３センサ装置ＳＵ−３は、被監視者Ｏｂの一人であるＣさんＯｂ−３の居室ＲＭ−３（不図示）に配設され、そして、第４センサ装置は、被監視者Ｏｂの一人であるＤさんＯｂ−４の居室ＲＭ−４（不図示）に配設されている。
【００３５】
このようなセンサ装置ＳＵでは、その稼働を始めると、センサ部１１は、所定のフレームレートで所在空間を上方から撮像して生成した画像およびドップラ信号をＳＵ制御処理部１４へ出力する。ＳＵ制御処理部１４の行動検知処理部１４２は、フレームの画像ごとに、これら画像およびドップラ信号に基づいて被監視者Ｏｂにおける所定の行動の有無を検知し、前記所定の行動を検知イベントとして検知すると、その検知イベントの種別を含めて検知イベントを通知処理部１４３へ通知する。通知処理部１４３は、前記検知イベントの通知を受けると、第１イベント通知通信信号をＳＵ通信ＩＦ部１５から管理サーバ装置ＳＶへ送信する。ナースコール処理部１４５は、ナースコール入力部１３で入力操作を受け付けると、ナースコールの受付イベントを通知処理部１４３へ通知する。通知処理部１４３は、前記受付イベントの通知を受けると、第１イベント通知通信信号をＳＵ通信ＩＦ部１５から管理サーバ装置ＳＶへ送信する。そして、ストリーミング処理部１４４は、固定端末装置ＳＰまたは携帯端末装置ＴＡから動画の配信の要求があった場合に、センサ部１１のカメラ１１２で生成した動画（例えばライブの動画）をストリーミング再生でＳＵ通信ＩＦ部１５から前記要求のあった固定端末装置ＳＰまたは携帯端末装置ＴＡへ配信する。
【００３６】
図１に戻って、次に、管理サーバ装置ＳＶについて説明する。管理サーバ装置ＳＶは、ネットワークＮＷを介して他の装置ＳＵ、ＳＰ、ＴＡと通信する通信機能を備え、センサ装置ＳＵから前記所定のイベントの通知を受けて前記所定のイベントを管理し、前記受けた前記所定のイベントを固定端末装置ＳＰおよび携帯端末装置ＴＡそれぞれへ送信して通知する機器である。このような管理サーバ装置ＳＶは、例えば、図３に示すように、サーバ制御処理部（ＳＶ制御処理部）２１と、サーバ記憶部（ＳＶ記憶部）２２と、サーバ通信インターフェース部（ＳＶ通信ＩＦ部）２３とを備える。
【００３７】
ＳＶ通信ＩＦ部２３は、ＳＵ通信ＩＦ部１５と同様に、ＳＶ制御処理部２１に接続され、ＳＶ制御処理部２１の制御に従って通信を行うための通信デバイスである。ＳＶ通信ＩＦ部２３は、ＳＶ制御処理部２１から入力された転送すべきデータを収容した通信信号を、この被監視者監視システムＭＳのネットワークＮＷで用いられる通信プロトコルに従って生成し、この生成した通信信号をネットワークＮＷを介して他の装置ＳＵ、ＳＰ、ＴＡへ送信する。ＳＶ通信ＩＦ部２３は、ネットワークＮＷを介して他の装置ＳＵ、ＳＰ、ＴＡから通信信号を受信し、この受信した通信信号からデータを取り出し、この取り出したデータをＳＶ制御処理部２１が処理可能な形式のデータに変換してＳＶ制御処理部２１へ出力する。本実施形態では、ＳＶ通信ＩＦ部２３は、後述するように、動画閲覧時間を受け付ける動画閲覧時間受付部の一例でもある。
【００３８】
ＳＶ記憶部２２は、ＳＶ制御処理部２１に接続され、ＳＶ制御処理部２１の制御に従って、各種の所定のプログラムおよび各種の所定のデータを記憶する回路である。前記各種の所定のプログラムには、例えば、クライアント（本実施形態では固定端末装置ＳＰおよび携帯端末装置ＴＡ等）の要求に応じたデータを前記クライアントに提供するサーバプログラムや、被監視者Ｏｂに対する監視に関する情報処理を実行するサーバ監視処理プログラム（ＳＶ監視処理プログラム）や、ＳＶ記憶部２２に記憶した後述のナースコール動画閲覧時間を含む動画閲覧時間を所定の固定端末装置ＳＰや携帯端末装置ＴＡ（端末装置ＳＰ、ＴＡ）へ送信して前記動画閲覧時間だけ前記動画をライブで前記端末装置ＳＰ、ＴＡに表示させる動画閲覧時間送信設定プログラムや、ＳＶ通信ＩＦ部２３でネットワークＮＷを介して端末装置ＳＰ、ＴＡから受け付けた動画閲覧時間をＳＶ記憶部２２に記憶する動画閲覧時間処理プログラム等の制御処理プログラムが含まれる。前記各種の所定のデータには、被監視者Ｏｂに対する監視に関する監視情報、イベントの通知先に関する通知先情報、および、動画閲覧時間に関する動画閲覧時間情報等の、上述の各プログラムを実行する上で必要なデータや、被監視者Ｏｂを監視する上で必要なデータ等が含まれる。ＳＶ記憶部２２は、ＳＵ記憶部１６と同様に、例えばＲＯＭやＥＥＰＲＯＭ等を備える。そして、ＳＶ記憶部２２は、前記所定のプログラムの実行中に生じるデータ等を記憶するいわゆるＳＶ制御処理部２１のワーキングメモリとなるＲＡＭ等を含む。
【００３９】
そして、ＳＶ記憶部２２は、上述の各情報を記憶するために、機能的に、前記監視情報を記憶するサーバ監視情報記憶部（ＳＶ監視情報記憶部）２２１、前記通知先情報を記憶する通知先情報記憶部２２２、および、前記動画閲覧時間情報を記憶するサーバ動画閲覧時間情報記憶部（ＳＶ動画閲覧時間情報記憶部）２２３に備える。
【００４０】
ＳＶ監視情報記憶部２２１は、被監視者Ｏｂに対する監視に関する前記監視情報を記憶するものである。前記監視情報は、センサ装置ＳＵ、固定端末装置ＳＰおよび携帯端末装置ＴＡから受信した、被監視者Ｏｂに関する情報であり、センサ装置ＳＵを特定し識別するための識別子情報（センサＩＤ）、前記センサＩＤに対応付けられ前記センサＩＤを持つ前記センサ装置ＳＵから第１イベント通知通信信号で通知されたイベントの種別を表す情報（イベント情報（本実施形態では起床イベント、離床イベント、転倒イベント、転落イベント、微体動異常イベントおよび受付イベントを含む）、前記センサＩＤに対応付けられ前記センサＩＤを持つ前記センサ装置ＳＵで生じたイベントの発生時刻を表す情報（イベント発生時刻情報）、前記センサＩＤに対応付けられ前記センサＩＤを持つ前記センサ装置ＳＵで被監視者Ｏｂにおける所定の行動を検知する際に用いられた被監視者Ｏｂの静止画（複数の画像を用いて検知した場合にはそのうちの１つ（例えば最終の画像））、前記センサＩＤに対応付けられ前記センサＩＤを持つ前記センサ装置ＳＵの通信アドレス（例えばＩＰアドレス等）等を含む。なお、前記発生時刻に代え、第１イベント通知通信信号を管理サーバ装置ＳＶで受信した第１イベント通知通信信号の受信時刻が用いられても良い。
【００４１】
通知先情報記憶部２２２は、イベントの通知先に関する前記通知先情報を記憶するものである。前記通知先情報は、センサ装置ＳＵから第１イベント通知通信信号を受信した場合に、この受信した第１イベント通知通信信号に収容されたイベントを通知する通知先を表す情報である。前記通知先情報は、例えば、本実施形態では、第１イベント通知通信信号を送信した送信元のセンサ装置ＳＵと、前記センサ装置ＳＵから受信した第１イベント通知通信信号に収容されたイベントを通知する端末装置ＳＰ、ＴＡとの対応関係を表す情報であり、例えば、図５に示すようにテーブル形式で通知先情報記憶部２２２に記憶されている。この図５に示す通知先情報テーブル４１は、第１イベント通知通信信号の送信元であるセンサ装置ＳＵの通信アドレスを登録する通知元アドレスフィールド４１１と、前記通知元アドレスフィールド４１１に登録されたセンサ装置ＳＵの通信アドレスに対応付けられ前記通信アドレスを持つ前記センサ装置ＳＵから受信した第１イベント通知通信信号に収容されたイベントを通知する端末装置ＳＰ、ＴＡの通信アドレスを登録する通知先アドレスフィールド４１２とを備え、センサ装置ＳＵごとにレコードを持つ。なお、センサ装置ＳＵの通信アドレスは、前記センサＩＤとされて良く、また、通知元アドレスフィールド４１１には、センサ装置ＳＵを配設した部屋番号が登録されても良い。また、端末装置ＳＰ、ＴＡの通信アドレスは、端末装置ＳＰ、ＴＡを特定し識別するための端末識別子（端末ＩＤ）とされて良く、また、通知先アドレスフィールド４１２には、携帯端末装置ＴＡを持つ例えば看護師名や介護士名等の監視者の名前が登録されても良い。
【００４２】
ＳＶ動画閲覧時間情報記憶部２２３は、動画閲覧時間に関する前記動画閲覧時間情報を記憶するものである。前記動画閲覧時間（最大動画閲覧時間）は、端末装置ＳＰ、ＴＡでセンサ装置ＳＵで生成された動画をライブで閲覧できる最大の閲覧時間である。本実施形態では、前記動画閲覧時間は、前記所定のイベントの種別ごとに複数であり、前記動画閲覧時間情報は、例えば、本実施形態では、イベントの種別と、前記イベントの種別に応じた動画閲覧時間との対応関係を表す情報である。このような動画閲覧時間情報は、例えば、図６に示すようにテーブル形式で動画閲覧時間情報記憶部２２３に記憶されている。この図６に示す動画閲覧時間情報テーブル４２は、イベントの種別を登録するイベントフィールド４２１と、イベントフィールド４２１に登録されたイベントの種別に対応した動画閲覧時間を秒単位で登録する最大動画閲覧時間フィールド４２２とを備え、イベントの種別ごとにレコードを持つ。図６に示す動画閲覧時間情報テーブル４２には、イベントがナースコールの受付イベントである場合に前記動画をライブで閲覧できる閲覧時間であるナースコール動画閲覧時間が登録されている。図６に示す例では、ナースコール動画閲覧時間は、０秒に設定されている。すなわち、イベントがナースコールである場合では、ライブでの動画の閲覧は、不可に設定されている。そして、図６に示す動画閲覧時間情報テーブル４２には、前記所定のイベントにおける前記所定の行動の種別ごとに複数の動画閲覧時間が登録されている。より詳しくは、図６に示す例では、イベントが起床イベントである場合の動画閲覧時間である起床動画閲覧時間は、６０秒に設定され、イベントが離床イベントである場合の動画閲覧時間である離床動画閲覧時間は、起床動画閲覧時間より短い３０秒に設定され、イベントが転倒イベントや転落イベントである場合の動画閲覧時間である転倒転落動画閲覧時間は、起床動画閲覧時間より短くさらに離床動画閲覧時間より短い１５秒に設定されている。
【００４３】
ＳＶ制御処理部２１は、管理サーバ装置ＳＶの各部を当該各部の機能に応じてそれぞれ制御し、センサ装置ＳＵから前記所定のイベントの通知を受けて前記所定のイベントを管理し、前記受けた前記所定のイベントを固定端末装置ＳＰおよび携帯端末装置ＴＡそれぞれへ送信して通知する回路である。ＳＶ制御処理部２１は、例えば、ＣＰＵ（Ｃｅｎｔｒａｌ  Ｐｒｏｃｅｓｓｉｎｇ  Ｕｎｉｔ）およびその周辺回路を備えて構成される。ＳＶ制御処理部２１には、制御処理プログラムが実行されることによって、サーバ制御部（ＳＶ制御部）２１１、サーバ監視処理部（ＳＶ監視処理部）２１２、動画閲覧時間送信設定部２１３および動画閲覧時間処理部２１４を機能的に備える。
【００４４】
ＳＶ制御部２１１は、管理サーバ装置ＳＶの各部を当該各部の機能に応じてそれぞれ制御し、管理サーバ装置ＳＶの全体制御を司るものである。
【００４５】
ＳＶ監視処理部２１２は、被監視者Ｏｂに対する監視に関する情報処理を実行するものである。より具体的には、例えば、本実施形態では、ＳＶ監視処理部２１２は、センサ装置ＳＵから第１イベント通知通信信号をＳＶ通信ＩＦ部２３で受信すると、この受信した第１イベント通知通信信号に収容されている各情報をＳＶ監視情報記憶部２２１に記憶し、第２イベント通知通信信号に収容されるデータを作成して動画閲覧時間送信設定部２１３へ通知する。ＳＶ監視処理部２１２で作成され第２イベント通知通信信号に収容される前記データは、例えば、この受信した第１イベント通知通信信号に収容されていた、イベントのイベント情報（イベントの種別）、前記イベントが生じたセンサ装置ＳＵのセンサＩＤ（通信アドレス）および前記イベントが前記所定の行動を検知した検知イベントである場合には所定の行動の検知に用いられた画像等である。
【００４６】
動画閲覧時間送信設定部２１３は、動画閲覧時間を端末装置ＳＰ、ＴＡへ送信して前記動画閲覧時間だけ動画をライブで端末装置ＳＰ、ＴＡに表示させるものである。より具体的には、動画閲覧時間送信設定部２１３は、前記受信した第１イベント通知通信信号に収容されていたイベント情報（すなわち、ＳＶ監視処理部２１２から通知された、第２イベント通知通信信号に収容される前記データにおけるイベント情報）におけるイベントの種別に対応した動画閲覧時間をＳＶ記憶部２２のＳＶ動画閲覧時間情報記憶部２２３から取り出し、この取り出した動画閲覧時間、および、この取り出した動画閲覧時間だけ動画をライブで端末装置ＳＰ、ＴＡに表示させる命令（指令、コマンド）を、前記データに加え、前記受信した第１イベント通知通信信号の送信元の通信アドレスに対応する送信先の通信アドレスを、ＳＶ記憶部２２の通知先情報記憶部２２２から取り出し、この取り出した通信アドレスを送信先とし、前記動画閲覧時間および前記命令を加えた前記データを収容した第２イベント通知通信信号をＳＶ通信ＩＦ部２３から送信する。
【００４７】
したがって、第１イベント通知通信信号に収容されたイベント情報のイベントが受付イベントである場合には、動画閲覧時間送信設定部２１３は、ＳＶ動画閲覧時間情報記憶部２２３に記憶したナースコール動画閲覧時間を端末装置ＳＰ、ＴＡへ送信してナースコールの場合に前記ナースコール動画閲覧時間だけ動画をライブで前記端末装置ＳＰ、ＴＡに表示させる。本実施形態では、ナースコール動画閲覧時間が０であるので、ライブでの動画は、表示されない。また、第１イベント通知通信信号に収容されたイベント情報のイベントが検知イベントである場合には、動画閲覧時間送信設定部２１３は、ＳＶ動画閲覧時間情報記憶部２２３に記憶した前記検知イベントの種別ごと（前記所定の行動の種別ごと）の複数の動画閲覧時間のうちの、第１イベント通知通信信号で前記所定のイベントの通知を受けた場合において前記通知を受けた前記所定のイベントにおける前記検知イベントの種別（前記所定の行動の種別）に応じた動画閲覧時間を、端末装置ＳＰ、ＴＡへ送信して、前記動画閲覧時間だけ動画をライブで前記端末装置ＳＰ、ＴＡに表示させる。例えば、第１イベント通知通信信号に収容されたイベント情報のイベントが離床イベントである場合には、動画閲覧時間送信設定部２１３は、ＳＶ動画閲覧時間情報記憶部２２３に記憶した離床動画閲覧時間を端末装置ＳＰ、ＴＡへ送信して離床動画閲覧時間だけ動画をライブで前記端末装置ＳＰ、ＴＡに表示させる。
【００４８】
なお、本実施形態では、ＳＶ監視処理部２１２から第２イベント通知通信信号に収容されるデータの通知を受け、動画閲覧時間送信設定部２１３が前記データに前記動画閲覧時間および前記命令を加えた第２イベント通知通信信号をＳＶ通信ＩＦ部２３から送信したが、動画閲覧時間送信設定部２１３から前記動画閲覧時間および前記命令の通知をＳＶ監視処理部２１２が受けて、ＳＶ監視処理部２１２が前記データに前記動画閲覧時間および前記命令を加えた第２イベント通知通信信号をＳＶ通信ＩＦ部２３から送信しても良い。また、本実施形態では、前記動画閲覧時間、および、この動画閲覧時間だけ動画をライブで端末装置ＳＰ、ＴＡに表示させる前記命令（指令、コマンド）が第２イベント通知通信信号に収容されたが、前記動画閲覧時間自体が前記命令（指令、コマンド）を兼ねてもよい。すなわち、第２イベント通知通信信号には、前記命令（指令、コマンド）を兼ねた動画閲覧時間が収容され、端末装置ＳＰ、ＴＡは、第２イベント通知通信信号に動画閲覧時間が収容されていることで、その動画閲覧時間でライブでの動画を表示する。
【００４９】
動画閲覧時間処理部２１４は、ＳＶ通信ＩＦ部２３でネットワークＮＷを介して端末装置ＳＰ、ＴＡから受け付けた動画閲覧時間をＳＶ記憶部２２のＳＶ動画閲覧時間情報記憶部２２３に記憶するものである。
【００５０】
なお、管理サーバ装置ＳＶは、図３に破線で示すように、必要に応じて、さらに、ＳＶ制御処理部２１に接続され例えば各種コマンドや各種データ等を入力するサーバ入力部（ＳＶ入力部）２４、ＳＶ入力部２４で入力された各種コマンドや各種データおよび被監視者Ｏｂに対する監視に関する情報等を出力するサーバ出力部（ＳＶ出力部）２５、および、外部機器との間でデータの入出力を行うサーバインターフェース部（ＳＶＩＦ部）２６等を備えても良い。ＳＶ入力部２４は、動画閲覧時間を受け付ける動画閲覧時間受付部の他の一例となり得る。
【００５１】
このような管理サーバ装置ＳＶは、例えば、通信機能付きのコンピュータによって構成可能である。
【００５２】
図１に戻って、固定端末装置ＳＰは、ネットワークＮＷを介して他の装置ＳＵ、ＳＶ、ＴＡと通信する通信機能、所定の情報を表示する表示機能、および、所定の指示やデータを入力する入力機能等を備え、管理サーバ装置ＳＶや携帯端末装置ＴＡに与える所定の指示やデータを入力したり、センサ装置ＳＵで得られた検知結果や画像を表示したり等することによって、被監視者監視システムＭＳのユーザインターフェース（ＵＩ）として機能する機器である。このような固定端末装置ＳＰは、例えば、通信機能付きのコンピュータによって構成可能である。
【００５３】
次に、携帯端末装置ＴＡについて説明する。携帯端末装置ＴＡは、ネットワークＮＷを介して他の装置ＳＶ、ＳＰ、ＳＵと通信する通信機能、所定の情報を表示する表示機能、所定の指示やデータを入力する入力機能、および、音声通話を行う通話機能等を備え、管理サーバ装置ＳＶやセンサ装置ＳＵに与える所定の指示やデータを入力し、前記所定のイベントがセンサ装置ＳＵで生じた場合に前記所定のイベントの通知を受け、センサ装置ＳＵとの間で通話し、センサ装置ＳＵで生成された動画を表示するための機器である。
【００５４】
このような携帯端末装置ＴＡは、本実施形態では、例えば、図４に示すように、端末制御処理部（ＴＡ制御処理部）３１と、端末記憶部（ＴＡ記憶部）３２と、端末通信インターフェース部（ＴＡ通信ＩＦ部）３３と、端末音入出力部（ＴＡ音入出力部）３４と、端末入力部（ＴＡ入力部）３５と、端末表示部（ＴＡ表示部）３６と、端末インターフェース部（ＴＡＩＦ部）３７とを備える。
【００５５】
ＴＡ音入出力部３４は、ＴＡ制御処理部３１に接続され、外部の音を取得して携帯端末装置ＴＡに入力するためのデバイスであって、ＴＡ制御処理部３１の制御に従って音を表す電気信号に応じた音を生成して出力するためのデバイスである。ＴＡ音入出力部３４は、ＳＵ音入出力部１２と同様に、例えば、音響振動を電気信号に変換するマイクロホン等と、音の電気信号を音の音響振動に変換するスピーカ等とを備えて構成される。ＴＡ音入出力部３４は、外部の音を表す電気信号をＴＡ制御処理部３４へ出力し、また、ＴＡ制御処理部３４から入力された電気信号を音の音響振動に変換して出力する。
【００５６】
ＴＡ入力部３５は、ＴＡ制御処理部３１に接続され、例えば、所定の操作を受け付け、携帯端末装置ＴＡに入力するデバイスであり、例えば、所定の機能を割り付けられた複数の入力スイッチ等である。前記所定の操作には、例えば、ログインするためのＩＤの入力操作や、通知されたナースコールに対応する応答操作や、ライブでの動画の要求操作や、前記通知された被監視者Ｏｂに対する例えば救命、看護、介護および介助等の対応を実行する意思がある旨（復旧）の入力操作等の、監視する上で必要な各種操作等が含まれる。ＴＡ表示部３６は、ＴＡ制御処理部３１に接続され、ＴＡ制御処理部３１の制御に従って、ＴＡ入力部３５から入力された所定の操作内容、および、被監視者監視システムＭＳによって監視されている被監視者Ｏｂに対する監視に関する前記監視情報（例えばセンサ装置ＳＵで生じたイベントや被監視者Ｏｂの画像等）等を表示するデバイスであり、例えばＬＣＤおよび有機ＥＬディスプレイ等の表示装置である。そして、本実施形態では、ＴＡ入力部３５およびＴＡ表示部３６からタッチパネルが構成されている。この場合において、ＴＡ入力部３５は、例えば抵抗膜方式や静電容量方式等の操作位置を検出して入力する位置入力デバイスである。このタッチパネルでは、ＴＡ表示部３６の表示面上に位置入力デバイスが設けられ、ＴＡ表示部３６に入力可能な１または複数の入力内容の候補が表示され、例えば看護師や介護士等のユーザ（監視者）が、入力したい入力内容を表示した表示位置を触れると、位置入力デバイスによってその位置が検出され、検出された位置に表示された表示内容がユーザの操作入力内容として携帯端末装置ＴＡに入力される。
【００５７】
ＴＡＩＦ部３７は、ＴＡ制御処理部３１に接続され、ＴＡ制御処理部３１の制御に従って、外部機器との間でデータの入出力を行うデバイスであり、例えば、Ｂｌｕｅｔｏｏｔｈ（登録商標）規格を用いたインターフェース回路、ＩｒＤＡ規格等の赤外線通信を行うインターフェース回路、および、ＵＳＢ規格を用いたインターフェース回路等である。
【００５８】
ＴＡ通信ＩＦ部３３は、ＳＵ通信ＩＦ部１５と同様に、ＴＡ制御処理部３１に接続され、ＴＡ制御処理部３１の制御に従って通信を行うための通信デバイスである。ＴＡ通信ＩＦ部３３は、ＴＡ制御処理部３１から入力された転送すべきデータを収容した通信信号を、この被監視者監視システムＭＳのネットワークＮＷで用いられる通信プロトコルに従って生成し、この生成した通信信号をネットワークＮＷを介して他の装置ＳＵ、ＳＶ、ＳＰへ送信する。ＴＡ通信ＩＦ部３３は、ネットワークＮＷを介して他の装置ＳＵ、ＳＶ、ＳＰから通信信号を受信し、この受信した通信信号からデータを取り出し、この取り出したデータをＴＡ制御処理部３１が処理可能な形式のデータに変換してＴＡ制御処理部３１へ出力する。
【００５９】
ＴＡ記憶部３２は、ＳＵ記憶部１６と同様に、ＴＡ制御処理部３１に接続され、ＴＡ制御処理部３１の制御に従って、各種の所定のプログラムおよび各種の所定のデータを記憶する回路である。前記各種の所定のプログラムには、例えば、被監視者Ｏｂに対する監視に関する情報処理を実行する端末監視処理プログラム（ＴＡ監視処理プログラム）等の制御処理プログラムが含まれる。前記監視処理プログラムには、例えば、前記監視情報の表示に関する動作を処理する表示処理プログラム等が含まれる。前記各種の所定のデータでは、ＴＡ表示部３６に表示される画面情報、被監視者Ｏｂに対する監視に関する前記監視情報、および、動画をライブで閲覧する閲覧時間である動画閲覧時間に関する動画閲覧時間情報等の各データが含まれる。ＴＡ記憶部３２は、例えばＲＯＭやＥＥＰＲＯＭ等を備える。ＴＡ記憶部３２は、前記所定のプログラムの実行中に生じるデータ等を記憶するいわゆるＴＡ制御処理部３１のワーキングメモリとなるＲＡＭ等を含む。そして、ＴＡ記憶部３２は、上述の各情報を記憶するために、機能的に、表示画面記憶部３２１、端末監視情報記憶部（ＴＡ監視情報記憶部）３２２および端末動画閲覧時間情報記憶部（ＴＡ動画閲覧時間情報記憶）３２３を備えている。
【００６０】
表示画面記憶部３２１は、ＴＡ制御処理部３１における後述の表示処理部３１２１の制御に従って、ＴＡ表示部３６に表示するための画面情報を記憶するものである。ＴＡ監視情報記憶部３２２は、ＴＡ制御処理部３１における後述のＴＡ監視処理部３１２の制御に従って、被監視者Ｏｂに対する監視に関する前記監視情報を記憶するものである。ＴＡ動画閲覧時間情報記憶部３２３は、ＴＡ制御処理部３１におけるＴＡ監視処理部３１２の制御に従って、管理サーバ装置ＳＶから送信されて来た第２イベント通知通信信号に収容された前記動画閲覧時間を記憶するものである。
【００６１】
ＴＡ制御処理部３１は、携帯端末装置ＴＡの各部を当該各部の機能に応じてそれぞれ制御し、被監視者Ｏｂに対する監視に関する監視情報を処理するための回路である。ＴＡ制御処理部３１は、ＳＵ制御処理部１４と同様に、例えば、ＣＰＵおよびその周辺回路を備えて構成される。ＴＡ制御処理部３１は、制御処理プログラムが実行されることによって、端末制御部（ＴＡ制御部）３１１および端末監視処理部（ＴＡ監視処理部）３１２を機能的に備え、ＴＡ監視処理部３１２は、表示処理部３１２１を機能的に備える。
【００６２】
ＴＡ制御部３１１は、携帯端末装置ＴＡの各部を当該各部の機能に応じてそれぞれ制御し、携帯端末装置ＴＡの全体制御を司るものである。
【００６３】
ＴＡ監視処理部３１２は、被監視者Ｏｂに対する監視に関する情報処理を実行するものである。より具体的には、ＴＡ監視処理部３１２は、前記第２イベント通知通信信号をＴＡ通信ＩＦ部３３で受信した場合に、この受信した第２イベント通知通信信号に収容された被監視者Ｏｂの前記監視情報をＴＡ監視情報記憶部３２２に記憶し、動画閲覧時間をＴＡ動画閲覧時間情報記憶部３２３に記憶する。
【００６４】
表示処理部３１２１は、ＴＡ表示部３６の表示に関する動作を処理するものである。より具体的には、表示処理部３１２１は、例えば、前記第２イベント通知通信信号をＴＡ通信ＩＦ部３３で受信した場合に、この受信した第２イベント通知通信信号に収容された情報に応じた画面をＴＡ表示部３６に表示する。表示処理部３１２１は、例えば、第２イベント通知通信信号に収容されていた動画閲覧時間だけ動画をライブで表示する。一例では、ナースコールの場合には、表示処理部３１２１は、第２イベント通知通信信号に収容されＴＡ動画閲覧時間情報記憶部３２３に記憶されたナースコール動画閲覧時間だけ動画をライブで表示する。
【００６５】
このような携帯端末装置ＴＡは、例えば、いわゆるタブレット型コンピュータやスマートフォンや携帯電話機等の、持ち運び可能な通信端末装置によって構成可能である。
【００６６】
次に、実施形態における被監視者監視システムの動作について説明する。図７は、実施形態の被監視者監視システムにおける動画閲覧時間入力設定画面を示す図である。図８は、実施形態の被監視者監視システムにおける管理サーバ装置の動作を示すフローチャートである。図９は、実施形態における被監視者監視システムの動作を示すシーケンス図である。図１０は、実施形態の被監視者監視システムにおける携帯端末装置の画面遷移を説明するための図である。図１１は、実施形態の被監視者監視システムにおける携帯端末装置のライブ動画切断画面を示す図である。
【００６７】
このような構成の被監視システムＭＳでは、起動されると、センサ装置ＳＵでは、その制御処理プログラムの実行によって、ＳＵ制御処理部１４には、ＳＵ制御部１４１、行動検知処理部１４２，通知処理部１４３、ストリーミング処理部１４４およびナースコール処理部１４５が機能的に構成され、管理サーバ装置ＳＶでは、その制御処理プログラムの実行によって、ＳＶ制御処理部２１には、ＳＶ制御部２１１およびＳＶ監視処理部２１２が機能的に構成され、そして、携帯端末装置ＴＡでは、その制御処理プログラムの実行によって、ＴＡ制御処理部３１には、ＴＡ制御部３１１、表示処理部３１２１を機能的に備えるＴＡ監視処理部３１２が機能的に構成される。
【００６８】
そして、被監視者監視システムＭＳでは、まず、動画閲覧時間が監視者等のユーザ（オペレータ）によって設定される。この動画閲覧時間の設定では、動画閲覧時間の設定を要求する図略の動画閲覧時間設定要求操作によって、例えば、図７に示す動画閲覧時間設定画面５１が、被監視者監視システムＭＳのユーザインターフェースである固定端末装置ＳＰの表示装置に表示される。
【００６９】
この動画閲覧時間設定画面５１は、動画閲覧時間を入力するためのテーブル形式の動画閲覧時間設定入力領域５１１と、動画閲覧時間設定入力領域５１１に入力された動画閲覧時間のキャンセルを入力して前記キャンセルを確定するための「キャンセル」ボタン５１２と、動画閲覧時間設定入力領域５１１に入力された動画閲覧時間の入力を確定するための「ＯＫ」ボタン５１３とを備える。動画閲覧時間設定入力領域５１１は、前記所定のイベントの種別ごとに動画閲覧時間を入力設定可能に構成されており、前記イベントの種別を登録するイベントフィールド５１１１と、前記イベントの種別に応じた動画閲覧時間を入力するための最大動画閲覧時間入力フィールド５１１２とを備え、前記イベントの種別ごとにレコードを持つ。図７に示す例では、イベントの種別が「起床」であるレコードの最大動画閲覧時間には、６０が入力されており、イベントの種別が「離床」であるレコードの最大動画閲覧時間には、３０が入力されており、イベントの種別が「転倒、転落」であるレコードの最大動画閲覧時間には、１５が入力されており、そして、イベントの種別が「ナースコール」であるレコードの最大動画閲覧時間には、０が入力されている。
【００７０】
このような動画閲覧時間設定画面５１において、「ＯＫ」ボタン５１３が入力操作されると、固定端末装置ＳＰは、イベントの種別が「起床」である場合の動画閲覧時間（起床動画閲覧時間）として「６０」を、イベントの種別が「離床」である場合の動画閲覧時間（離床動画閲覧時間）として「３０」を、イベントの種別が「転倒、転落」である場合の動画閲覧時間（転倒転落動画閲覧時間）として「１５」を、イベントの種別が「ナースコール」である場合の動画閲覧時間（ナースコール動画閲覧時間）として「０」を、収容する通信信号（動画閲覧時間入力設定通信信号）を管理サーバ装置ＳＶへ送信する。
【００７１】
この動画閲覧時間入力設定通信信号を受信すると、管理サーバ装置ＳＶは、この動画閲覧時間入力設定通信信号から各種イベントに応じた動画閲覧時間を取り出し、この取り出した各種イベントに応じた動画閲覧時間を例えば図６に示すテーブル形式でＳＶ記憶部２２のＳＶ動画閲覧時間情報記憶部２２３に記憶する。
【００７２】
このような動作によって、管理サーバ装置ＳＶにおけるＳＶ記憶部２２のＳＶ動画閲覧時間情報記憶部２２３に各種イベントに応じた動画閲覧時間が記憶され、管理サーバ装置ＳＶに入力設定される。
【００７３】
なお、上述では、被監視者監視システムＭＳのユーザインターフェースである固定端末装置ＳＰから各種イベントに応じた動画閲覧時間が入力され、この入力された各種イベントに応じた動画閲覧時間が固定端末装置ＳＰから管理サーバ装置ＳＶに入力設定されたが、固定端末装置ＳＰに代え携帯端末装置ＴＡであって良く、また、管理サーバ装置ＳＶがＳＶ入力部２４およびＳＶ出力部２５を備える場合には、固定端末装置ＳＰに代え管理サーバ装置ＳＶであって良い。
【００７４】
そして、被監視者の監視では、被監視者監視システムＭＳは、次のように動作する。
【００７５】
携帯端末装置ＴＡでは、例えば看護師や介護士等の監視者（ユーザ）によるログイン操作を受け付けると、携帯端末装置ＴＡは、ＴＡ監視処理部３１２によって、自機宛の通信信号を待ち受ける待受け画面をＴＡ表示部３６に表示する。この待受け画面６１は、例えば、図１０に示すように、メニューバーを表示するメニューバー領域６１１と、待ち受け中であることを表すメッセージ（例えば「未対応通知はありません」）およびアイコンを表示する待受けメイン領域６１２と、現在時刻を表示する時刻領域６１３と、今日の年月日曜日を表示する年月日曜日領域６１４と、今、当該携帯端末装置ＴＡにログインしているユーザ名を表示するユーザ名領域６１５とを備える。このような待受け画面６１を表示すると、携帯端末装置ＴＡは、ＴＡ制御部３１１によって、ＴＡ通信ＩＦ部３３で通信信号の受信を待つ。
【００７６】
一方、センサ装置ＳＵは、ＳＵ制御部１４１によって、前記フレームレートに応じた所定のサンプリング周期でセンサ部１１のドップラセンサ１１１の出力をサンプリングするとともにカメラ１１２で画像を取得し、行動検知処理部１４２によって、このサンプリングおよび取得したドップラセンサ１１１の出力およびカメラ１１２の画像に基づいて被監視者Ｏｂにおける所定の行動（状態、状況）を検知し、この検知の結果、被監視者Ｏｂが予め設定された前記所定の行動（例えば、本実施形態では起床、離床、転倒、転落および微体動異常等）を検知すると、通知処理部１４３によって、検知イベントのイベント情報、センサＩＤおよび被監視者Ｏｂの静止画の画像データ等を収容した第１イベント通知通信信号をネットワークＮＷを介して管理サーバ装置ＳＶへ送信する。例えば、起床を検知すると、図９に示すように、起床イベントの第１イベント通知通信信号がセンサ装置ＳＵから管理サーバ装置ＳＶへ送信される（Ｃ１１）。また例えば、転倒や転落を検知すると、図９に示すように、転倒イベントや転落イベントの第１イベント通知通信信号がセンサ装置ＳＵから管理サーバ装置ＳＶへ送信される（Ｃ１１）。あるいは、センサ装置ＳＵは、ナースコール処理部１４５によって、ナースコール入力部１３の入力操作を受け付けると、通知処理部１４３によって、受付イベントのイベント情報およびセンサＩＤ等を収容した第１イベント通知通信信号をネットワークＮＷを介して管理サーバ装置ＳＶへ送信する。
【００７７】
このような第１イベント通知通信信号がセンサ装置ＳＵから送信されると、管理サーバ装置ＳＶは、図８に示す動作を実行する。すなわち、図８において、まず、管理サーバ装置ＳＶは、ＳＶ制御部２１１によって、第１イベント通知通信信号をセンサ装置ＳＵから受信すると、管理サーバ装置ＳＶは、ＳＶ監視処理部２１２によって、この受信した第１イベント通知通信信号に収容されている各情報をＳＶ監視情報記憶部２２１に記憶する（Ｓ１１）。
【００７８】
次に、管理サーバ装置ＳＶは、動画閲覧時間送信設定部２１３によって、この受信した第１イベント通知通信信号に収容されていたイベント情報におけるイベントの種別に対応した動画閲覧時間をＳＶ記憶部２２のＳＶ動画閲覧時間情報記憶部２２３から取り出す（Ｓ１２）。例えば、図９に示す、イベント情報として起床イベントを収容した第１イベント通信信号Ｃ１１の例では、動画閲覧時間送信設定部２１３は、ＳＶ動画閲覧時間情報記憶部２２３に記憶されている動画閲覧時間情報テーブル４２において、イベントフィールド４２１に起床を登録しているレコードにおける最大動画閲覧時間フィールド４２２に登録されている動画閲覧時間６０［秒］を取り出す。また例えば、図９に示す、イベント情報として転倒イベントや転落イベントを収容した第１イベント通信信号Ｃ２１の例では、動画閲覧時間送信設定部２１３は、ＳＶ動画閲覧時間情報記憶部２２３に記憶されている動画閲覧時間情報テーブル４２において、イベントフィールド４２１に転倒、転落を登録しているレコードにおける最大動画閲覧時間フィールド４２２に登録されている動画閲覧時間１５［秒］を取り出す。また例えば、イベント情報として受付イベントを収容した第１イベント通信信号の例では、動画閲覧時間送信設定部２１３は、ＳＶ動画閲覧時間情報記憶部２２３に記憶されている動画閲覧時間情報テーブル４２において、イベントフィールド４２１にナースコールを登録しているレコードにおける最大動画閲覧時間フィールド４２２に登録されている動画閲覧時間０［秒］を取り出す。
【００７９】
次に、管理サーバ装置ＳＶは、ＳＶ監視処理部２１２によって、第２イベント通知通信信号に収容されるデータを作成して動画閲覧時間送信設定部２１３へ通知する（Ｓ１３）。より具体的には、ＳＶ監視処理部２１２は、前記受信した第１イベント通知通信信号に収容されていた、イベントのイベント情報（イベントの種別）、前記イベントが生じたセンサ装置ＳＵのセンサＩＤ（通信アドレス）および前記イベントが前記所定の行動を検知した検知イベントである場合には所定の行動の検知に用いられた画像等を含むデータを作成し、このデータを動画閲覧時間送信設定部２１３へ通知する（Ｓ１３）。
【００８０】
次に、管理サーバ装置ＳＶは、動画閲覧時間送信設定部２１３によって、前記受信した第１イベント通知通信信号の送信元の通信アドレスに対応する送信先の通信アドレスを、ＳＶ記憶部２２の通知先情報記憶部２２２から取り出す（Ｓ１４）。より具体的には、動画閲覧時間送信設定部２１３は、通知先情報記憶部２２２に記憶されている通知先情報テーブル４１において、通知元アドレスフィールド４１１に、前記受信した第１イベント通知通信信号の送信元の通信アドレスを登録しているレコードにおける通知先アドレスフィールド４１２に登録されている通知先の通信アドレスを取り出す。例えば、１０１号室に配設された通信アドレス「１９２．１６８．１０．１２０」を持つセンサ装置ＳＵからの第１イベント通知通信信号を受信した場合には、この第１イベント通知通信信号の送信元の通信アドレス「１９２．１６８．１０．１２０」を登録している１行目のレコードにおける通知先アドレスフィールド４１２に登録されている通知先の３個の通信アドレス「１９２．１６８．１０．２５」、「１９２．１６８．１０．２６」、「１９２．１６８．１０．２７」が取り出される。なお、この例では、通信アドレス「１９２．１６８．１０．２５」は、介護士ＮＡさんが持つ携帯端末装置ＴＡ−１に付与された通信アドレスであり、通信アドレス「１９２．１６８．１０．２６」は、介護士ＮＢさんが持つ携帯端末装置ＴＡ−２に付与された通信アドレスであり、そして、通信アドレス「１９２．１６８．１０．２７」は、図略の介護士ＮＣさんが持つ携帯端末装置ＴＡ−３に付与された通信アドレスである。
【００８１】
そして、管理サーバ装置ＳＶは、動画閲覧時間送信設定部２１３によって、イベントのイベント情報（イベントの種別）、前記イベントが生じたセンサ装置ＳＵのセンサＩＤ（通信アドレス）および前記イベントが前記所定の行動を検知した検知イベントである場合には所定の行動の検知に用いられた画像、前記イベントの種別に応じた動画閲覧時間、および、この動画閲覧時間だけ動画をライブで端末装置ＳＰ、ＴＡに表示させる命令（指令、コマンド）等を収容した第２イベント通知通信信号を、処理Ｓ１４で取り出した通知先の通信アドレスを持つ端末装置ＳＰ、ＴＡへ送信する（Ｓ１５）。例えば、図９に示す例では、処理Ｃ１１で送信された起床イベントの第１イベント通知通信信号を受信すると、管理サーバ装置ＳＶは、上述の各処理Ｓ１１〜Ｓ１５を実行することで、動画閲覧時間６０秒だけ動画をライブで端末装置ＳＰ、ＴＡに表示させるための起床イベントの第２イベント通知通信信号を携帯端末装置ＴＡへ送信する。また例えば、図９に示す例では、処理Ｃ２１で送信された転倒イベントや転落イベントの第１イベント通知通信信号を受信すると、管理サーバ装置ＳＶは、上述の各処理Ｓ１１〜Ｓ１５を実行することで、動画閲覧時間１５秒だけ動画をライブで端末装置ＳＰ、ＴＡに表示させるための転倒イベントや転落イベントの第２イベント通知通信信号を携帯端末装置ＴＡへ送信する。また例えば、受付イベントの第１イベント通知通信信号を受信すると、管理サーバ装置ＳＶは、上述の各処理Ｓ１１〜Ｓ１５を実行することで、動画閲覧時間０秒だけ動画をライブで端末装置ＳＰ、ＴＡに表示させるための受付イベントの第２イベント通知通信信号（すなわち、ライブでの動画の閲覧を不可とするための受付イベントの第２イベント通知通信信号）を携帯端末装置ＴＡへ送信する。
【００８２】
このような第２イベント通知通信信号が管理サーバ装置ＳＶから送信されると、端末装置ＳＰ、ＴＡは、次のような動作を実行する。ここでは、携帯端末装置ＴＡの動作で説明するが、固定端末装置ＳＰも同様に動作できる。すなわち、図１０において、待受け画面６１をＴＡ表示部３６に表示して通信信号の受信を待ち受けている際に、第２イベント通知通信信号を受信すると、ＴＡ監視処理部３１２は、この受信した第２イベント通知通信信号に収容されている各情報をＴＡ監視情報記憶部３２２に記憶し、動画閲覧時間をＴＡ動画閲覧時間情報記憶部３２３に記憶し、そして、前記受信した第２イベント通知通信信号に収容されているイベント情報に基づいてイベントの種別を判定し、この判定の結果、前記イベントの種別が検知イベントである場合には、表示処理部３１２１によって、この受信した第２イベント通知通信信号に収容された被監視者Ｏｂの監視に関する監視情報を表示するための監視情報画面６２（６２ａ、６２ｂ）をＴＡ表示部４６に表示する（Ｃ３１）、一方、前記判定の結果、前記イベントの種別が受付イベントである場合には、表示処理部３１２１によって、ナースコールの受付を報知するためのナースコール通知画面６３をＴＡ表示部４６に表示する（Ｃ４１）。
【００８３】
まず、第１に、第２イベント通知通信信号に収容されているイベント情報に基づく前記イベントの種別が検知イベントである場合について説明する。この場合における前記監視情報画面６２は、静止画像を表示するための第１監視情報画面６２ａ、動画をライブで表示するための第２監視情報画面６２ｂ、および、ライブでの動画の表示を自動的に終了した旨を知らせるための第３監視情報画面６２ｃを含む。この第１監視情報画面６２ａは、例えば、図１０に示すように、メニューバー領域６１１と、検知イベントが生じたセンサ装置ＳＵの配設場所および前記センサ装置ＳＵによって監視される被監視者Ｏｂの名前を表示する被監視者名領域６２１と、検知時刻（または受信時刻）からの経過時間および検知イベントの種別を象徴的に表すアイコンを表示するアイコン領域６２２と、前記センサ装置ＳＵによって撮像された画像（ここでは静止画）を表示する画像領域６２３ａと、「復旧」ボタン６２４と、「ＬＩＶＥを見る」ボタン６２５とを備える。「復旧」ボタン６２４は、前記センサ装置ＳＵによって監視される被監視者Ｏｂに対する例えば看護および介護等の対応を実行する意思が当該携帯端末装置ＴＡのユーザ（監視者）にあることを当該携帯端末装置ＴＡに入力するためのボタンである。「ＬＩＶＥを見る」ボタン６２５は、前記センサ装置ＳＵによって撮像される動画を表示させる指示を入力するためのボタンである。前記処理Ｃ３１では、携帯端末装置ＴＡは、この第１監視情報画面６２ａを表示する。したがって、検知イベントの第２イベント通知通信信号を受信すると、携帯端末装置ＴＡは、待受け画面６１を第１監視情報画面６２ａに切り換え、この第１監視情報画面６２ａをＴＡ表示部３６表示し、ＴＡ表示部３６には、静止画が表示される。
【００８４】
ここで、「ＬＩＶＥを見る」ボタン６２５が入力操作されると、携帯端末装置ＴＡは、第１監視情報画面６２ａを第２監視情報画面６２ｂに切り換えて第２監視情報画面６２ｂをＴＡ表示部３６に表示する（Ｃ３２）。この第２監視情報画面６２ｂは、例えば、図１０に示すように、メニューバー領域６１１と、被監視者名領域６２１と、アイコン領域６２２と、前記センサ装置ＳＵによって撮像された画像（ここではライブでの動画）を表示する画像領域６２３ｂと、「復旧」ボタン６２４と、「ＬＩＶＥ終了」ボタン６２６とを備える。「ＬＩＶＥ終了」ボタン６２６は、動画の表示を終了する指示を入力するためのボタンである。
【００８５】
この第２監視情報画面６２ｂの表示では、携帯端末装置ＴＡは、次のように動作する。携帯端末装置ＴＡは、ＴＡ監視処理部３１２によって、前記受信した第２イベント通知通信信号に収容された前記検知イベントが生じたセンサ装置ＳＵのセンサＩＤを持つセンサ装置ＳＵへ、ライブでの動画の配信を要求する旨等の情報を収容した通信信号（ライブ動画要求通信信号）を送信する。このライブ動画要求通信信号を受信したセンサ装置ＳＵは、ストリーミング処理部１４４によって、ライブ動画要求通信信号の送信元の携帯端末装置ＴＡへ、センサ部１１のカメラ１１２で生成したライブの動画を収容した通信信号（ライブ映像通信信号）をストリーミング再生で配信する。ライブでの動画の配信を受けると、携帯端末装置ＴＡは、ＴＡ監視処理部３１２によって、前記受信した第２イベント通知通信信号に収容された動画閲覧時間でタイマーをセットし、計時を始める。携帯端末装置ＴＡは、第２監視情報画面６２ｂで「ＬＩＶＥ終了」ボタン６２６の入力操作を受け付けるまで、または、前記タイマーがタイムアップするまで、第２監視情報画面６２ｂの画像領域６２３ｂにライブでの動画を表示する。
【００８６】
そして、携帯端末装置ＴＡは、第２監視情報画面６２ｂで「ＬＩＶＥ終了」ボタン６２６の入力操作を受け付けると、第２監視情報画面６２ｂを第１監視情報画面６２ａに切り換えて第１監視情報画面６２ａをＴＡ表示部３６に表示する。あるいは、携帯端末装置ＴＡは、前記タイマーがタイムアップすると、動画閲覧時間が経過してライブでの動画の表示を自動的に終了した旨を示すための第３監視情報画面６２ｃをＴＡ表示部３６に表示し、ライブでの動画の受信を切断した後に、第１監視情報画面６２ａをＴＡ表示部３６に表示する（Ｃ３３）。この第３監視情報画面６２ｃは、例えば、図１１に示すように、メニューバー領域６１１と、被監視者名領域６２１と、ライブでの動画の表示を自動的に終了したことを表すメッセージ（例えば「ライブを終了しました」）および「ＯＫ」ボタン６２８を表示するライブ自動終了表示領域６２７と、「復旧」ボタン６２４と、「ＬＩＶＥ終了」ボタン６２６とを備える。「ＯＫ」ボタン６２８は、ライブでの動画の表示が自動的に終了したことに対するユーザの承諾を当該携帯端末装置ＴＡに入力するためのボタンである。この「ＯＫ」ボタン６２８の入力操作を受け付けると、携帯端末装置ＴＡは、第３監視情報画面６２ｃを第１監視情報画面６２ａに切り換えてＴＡ表示部３６に表示する。
【００８７】
例えば、図９に示す例では、処理Ｃ１２で送信された起床イベントの第２イベント通知通信信号を受信すると、携帯端末装置ＴＡは、上述の処理Ｃ３１を実行することで、ＴＡ表示部３６に第１監視情報画面６２ａを表示する。ここで、「ＬＩＶＥを見る」ボタン６２５の入力操作を受け付けると、携帯端末装置ＴＡは、上述の処理によって、ライブ動画要求通信信号を前記センサ装置ＳＵへ送信し（Ｃ１３）、ライブ動画要求通信信号を受信した前記センサ装置ＳＵは、前記携帯端末装置ＴＡへライブ映像通信信号をストリーミング再生で配信する（Ｃ１４）。ライブでの動画の配信を受けると、携帯端末装置ＴＡは、起床イベントの動画閲覧時間６０［秒］でタイマーをセットする。携帯端末装置ＴＡは、「ＬＩＶＥ終了」ボタン６２６の入力操作を受け付けると、ライブでの動画の受信を切断し（Ｃ１５）、第１監視情報画面６２ａをＴＡ表示部３６に表示する。あるいは、携帯端末装置ＴＡは、前記タイマーがタイムアップすると、第３監視情報画面６２ｃをＴＡ表示部３６に表示し、ライブでの動画の受信を切断した後に（Ｃ１５）、「ＯＫ」ボタン６２８の入力操作を受け付けると、第１監視情報画面６２ａをＴＡ表示部３６に表示する。
【００８８】
また例えば、図９に示す例では、処理Ｃ２２で送信された転倒イベントや転落イベントの第２イベント通知通信信号を受信すると、携帯端末装置ＴＡは、上述の処理Ｃ３１を実行することで、ＴＡ表示部３６に第１監視情報画面６２ａを表示する。ここで、「ＬＩＶＥを見る」ボタン６２５の入力操作を受け付けると、携帯端末装置ＴＡは、上述の処理によって、ライブ動画要求通信信号を前記センサ装置ＳＵへ送信し（Ｃ２３）、ライブ動画要求通信信号を受信した前記センサ装置ＳＵは、前記携帯端末装置ＴＡへライブ映像通信信号をストリーミング再生で配信する（Ｃ２４）。ライブでの動画の配信を受けると、携帯端末装置ＴＡは、転倒イベントや転落イベントの動画閲覧時間１５［秒］でタイマーをセットする。携帯端末装置ＴＡは、「ＬＩＶＥ終了」ボタン６２６の入力操作を受け付けると、ライブでの動画の受信を切断し（Ｃ１５）、第１監視情報画面６２ａをＴＡ表示部３６に表示する。あるいは、携帯端末装置ＴＡは、前記タイマーがタイムアップすると、第３監視情報画面６２ｃをＴＡ表示部３６に表示し、ライブでの動画の受信を切断した後に（Ｃ１５）、「ＯＫ」ボタン６２８の入力操作を受け付けると、第１監視情報画面６２ａをＴＡ表示部３６に表示する。
【００８９】
なお、第１監視情報画面６２ａや第２監視情報画面６２ｂで「復旧」ボタン６２４の入力操作を受け付けると、携帯端末装置ＴＡは、第１監視情報画面６２ａや第２監視情報画面６２ｂを待受け画面６１に切り換えて待受け画面６１をＴＡ表示部３６に表示し、通信信号の受信を待つ（Ｃ３４）。
【００９０】
一方、第２に、第２イベント通知通信信号に収容されているイベント情報に基づく前記イベントの種別が受付イベントである場合について説明する。この場合における前記ナースコール通知画面６３は、例えば、図１０に示すように、メニューバー領域６１１と、被監視者名領域６２１と、ナースコールを受け付けた旨を表すメッセージ（例えば「ナースコールです」）を表示するナースコール受付通知表示領域６３１と、「復旧」ボタン６２４と、「話す」ボタン６３２とを備える。「話す」ボタン６３２は、前記センサ装置ＳＵと当該携帯端末装置ＴＡとをネットワークＮＷを介して通話可能に接続する指示を入力するためのボタンである。
【００９１】
本実施形態では、ナースコール動画閲覧時間は、上述したように［０］秒であるので、このナースコール通知画面６３は、「ＬＩＶＥを見る」ボタン６２５を備えず、ライブでの動画の閲覧は、不可とされている。なお、ナースコール動画閲覧時間が例えば１秒や２秒等のごく短い時間に設定されている場合には、ナースコール通知画面６３は、「ＬＩＶＥを見る」ボタン６２５を備え、この「ＬＩＶＥを見る」ボタン６２５の入力操作を受け付けた場合には、上述した検知イベントの場合と同様な動作が実行される。
【００９２】
ここで、「話す」ボタン６３２が入力操作されると、携帯端末装置ＴＡは、ナースコール通知画面６３を通話中画面６４に切り換えて通話中画面６４をＴＡ表示部３６に表示する（Ｃ４２）。この通話中画面６４は、例えば、図１０に示すように、メニューバー領域６１１と、被監視者名領域６２１と、通話中である旨を表すメッセージ（例えば「通話中」）を表示する通話中表示領域６４１と、「復旧」ボタン６２４と、「通話終了」ボタン６４２とを備える。「通話終了」ボタン６４２は、前記センサ装置ＳＵとの間での通話を終了する指示を入力するためのボタンである。この通話中画面６４の表示では、携帯端末装置ＴＡは、ＴＡ監視処理部３１２によって、前記受信した第２イベント通知通信信号に収容された前記受付イベントが生じたセンサ装置ＳＵのセンサＩＤを持つセンサ装置ＳＵへ、通話を要求する旨等の情報を収容した通信信号（通話要求通信信号）を送信する。この通話要求通信信号を受信したセンサ装置ＳＵは、ナースコール処理部１４５によって、通話要求通信信号の送信元の携帯端末装置ＴＡとの間で、音声通話の通信信号（例えばＶｏＩＰ（Ｖｏｉｃｅ  ｏｖｅｒ  Ｉｎｔｅｒｎｅｔ  Ｐｒｏｔｏｃｏｌ）の通信信号等）の送受信によって音声通話を行う。
【００９３】
そして、携帯端末装置ＴＡは、通話中画面６４で「通話終了」ボタン６２６の入力操作を受け付けると、音声通話の通信信号の送受信を切断し、通話中画面６４をナースコール通知画面６３に切り換えてナースコール通知画面６３をＴＡ表示部３６に表示する（Ｃ４３）。
【００９４】
なお、ナースコール通知画面６３や通話中画面６４で「復旧」ボタン６２４の入力操作を受け付けると、携帯端末装置ＴＡは、ナースコール通知画面６３や通話中画面６４を待受け画面６１に切り換えて待受け画面６１をＴＡ表示部３６に表示し、通信信号の受信を待つ（Ｃ４４）。
【００９５】
以上説明したように、本実施形態における被監視者監視システムＭＳ、中央処理装置の一例としての管理サーバ装置ＳＶおよびこれに実装された中央処理方法は、ナースコール動画閲覧時間を記憶するＳＶ記憶部２２のＳＶ動画閲覧時間情報記憶部２２３を備え、このナースコール動画閲覧時間を端末装置ＳＰ、ＴＡへ送信してナースコールの場合に前記ナースコール動画閲覧時間だけ前記動画をライブで前記端末装置ＳＰ、ＴＡに表示させる。このため、上記被監視者監視システムＭＳ、管理サーバ装置ＳＶおよび中央処理方法は、ＳＶ動画閲覧時間情報記憶部２２３に記憶されるナースコール動画閲覧時間を変えることで、ナースコールの場合におけるライブでの動画の閲覧時間（ライブ映像の閲覧時間）を可変できる。上記被監視者監視システムＭＳ、管理サーバ装置ＳＶおよび中央処理方法は、必要最小限なナースコール動画閲覧時間を設定することが可能であるので、被監視者のプライバシーや通信ネットワークのトラフィックに与える影響を配慮しつつ、被監視者を適切に観察できる。
【００９６】
そして、ナースコールは、例えば要介護者等の被監視者が例えば介護士等の監視者に来て欲しいと思って実行されることが多い。本実施形態では、一例として前記前記ナースコール動画閲覧時間が０［秒］に設定されるので、上記被監視者監視システムＭＳ、管理サーバ装置ＳＶおよび中央処理方法は、ナースコールの場合におけるライブでの動画の閲覧が不可となるから、可及的速やかに被監視者の所へ行くように監視者に促すことができる。前記ナースコールの場合におけるライブでの動画の閲覧が不可となるので、上記被監視者監視システムＭＳ、管理サーバ装置ＳＶおよび中央処理方法は、被監視者のプライバシーを守ることができ、動画の配信に関して通信ネットワークのトラフィックに影響を与えない。
【００９７】
上記被監視者監視システムＭＳ、管理サーバ装置ＳＶおよび中央処理方法は、固定端末装置ＳＰから入力された動画閲覧時間をＳＶ通信ＩＦ部２３で受け付け、この受け付けた動画閲覧時間をＳＶ監視処理部２１２でＳＶ動画閲覧時間情報記憶部２２３に記憶するので、例えば監視者等のユーザによって動画閲覧時間を所望の時間に設定でき、ライブでの動画の閲覧時間を可変できる。例えば、ユーザは、例えば年齢、病気や怪我の程度および介護レベル等の被監視者の状況に応じて動画閲覧時間を適宜に設定できる。上記被監視者監視システムＭＳ、管理サーバ装置ＳＶおよび中央処理方法は、必要最小限な動画閲覧時間を設定することが可能であるので、被監視者のプライバシーや通信ネットワークのトラフィックに与える影響を配慮しつつ、被監視者を適切に観察できる。
【００９８】
上記被監視者監視システムＭＳ、管理サーバ装置ＳＶおよび中央処理方法は、検知事象の種別ごとに、すなわち、被監視者における所定の行動の種別ごとに複数の動画閲覧時間を所望の時間に設定でき、前記行動の種別ごとにライブでの動画の閲覧時間を可変できる。例えば、前記所定の行動が転倒や転落である場合、被監視者に転倒や転落が生じたか否かということは、被監視者が横たわっているか否かで判定できるため、監視者は、ライブでの動画を比較的短時間、参照することで、被監視者に転倒や転落が生じたか否かを判定できる。このため、転倒の場合に対応する動画閲覧時間（転倒動画閲覧時間）や転落の場合に対応する動画閲覧時間（転落動画閲覧時間）は、比較的短時間で良く、上記被監視者監視システムＭＳ、管理サーバ装置ＳＶおよび中央処理方法は、前記転倒動画閲覧時間や前記転落動画閲覧時間を比較的短時間に設定できる。また例えば、前記所定の行動が起床や離床である場合、被監視者に起床や離床が生じたか否かということは、被監視者が例えば年齢、病気や怪我の程度および介護レベル等が高い場合、動作が緩慢になるため、監視者は、ライブでの動画を比較的長時間、参照する必要がある。このため、起床の場合に対応する動画閲覧時間（起床動画閲覧時間）や離床の場合に対応する動画閲覧時間（離床動画閲覧時間）は、比較的長時間であることが好ましく、上記被監視者監視システムＭＳ、管理サーバ装置ＳＶおよび中央処理方法は、前記起床動画閲覧時間や前記離床動画閲覧時間を比較的長時間に設定できる。このように上記被監視者監視システムＭＳ、管理サーバ装置ＳＶおよび中央処理方法は、転倒や転落の場合における動画閲覧時間と起床や離床の場合における動画閲覧時間とを互いに異なる時間に設定できる。また、起床や離床の場合に、被監視者の所に監視者が行って介助等を行うことで、起床や離床後に生じる可能性のある転落や転倒を未然に防止することもできる。
【００９９】
なお、上述の実施形態では、動画閲覧時間は、検知イベントや受付イベント等のイベントの種別ごとに設定された複数であったが、この態様（第１態様）に限定されるものではなく、他の態様であっても良い。例えば、次の第２ないし第４態様であっても良い。
【０１００】
図１２は、実施形態の被監視者監視システムにおける第２態様の動画閲覧時間情報テーブルの構成を示す図である。図１３は、実施形態の被監視者監視システムにおける第３態様の動画閲覧時間情報テーブルの構成を示す図である。図１４は、実施形態の被監視者監視システムにおける第４態様の動画閲覧時間情報テーブルの構成を示す図である。
【０１０１】
第２態様では、動画閲覧時間は、前記複数の端末装置ＳＰ、ＴＡごとに複数であり、ＳＶ記憶部２２のＳＶ動画閲覧時間情報記憶部２２３に記憶され、動画閲覧時間送信設定部２１３は、このＳＶ動画閲覧時間情報記憶部２２３に記憶した複数の端末装置ＳＰ、ＴＡごとの複数の動画閲覧時間のうちの、送信先の端末装置ＳＰ、ＴＡに対応する動画閲覧時間を、前記送信先の端末装置ＳＰ、ＴＡへ送信して、前記動画閲覧時間だけ前記動画をライブで前記送信先の端末装置ＳＰ、ＴＡに表示させる。
【０１０２】
このような第２態様では、動画閲覧時間情報は、例えば、端末装置ＳＰ、ＴＡ（すなわち、端末装置ＳＰ、ＴＡを扱う例えば介護士等）と、前記端末装置ＳＰ、ＴＡに応じた動画閲覧時間との対応関係を表す情報であり、例えば、図１２に示すようにテーブル形式で動画閲覧時間情報記憶部２２３に記憶されている。この図１２に示す動画閲覧時間情報テーブル４３は、端末装置ＳＰ、ＴＡを特定し識別するための識別子である端末ＩＤ（すなわち、端末装置ＳＰ、ＴＡを扱う例えば介護士等を特定し識別するための識別子である介護スタッフＩＤ）を登録する介護スタッフフィールド４３１と、介護スタッフフィールド４３１に登録された端末ＩＤ（介護スタッフＩＤ）に対応した動画閲覧時間を秒単位で登録する最大動画閲覧時間フィールド４３２とを備え、端末ＩＤ（介護スタッフＩＤ）ごとにレコードを持つ。図１２に示す動画閲覧時間情報テーブル４３において、例えば１番目のレコードには、介護スタッフフィールド４３１に、携帯端末装置ＴＡ−１に付与された端末ＩＤ；「ＴＡ−１」（携帯端末装置ＴＡ−１を扱う介護士ＮＡさんに付与された介護スタッフＩＤ；「ＮＡ」）が登録され、最大動画閲覧時間フィールド４３２に、「３０［秒］」が登録されている。なお、端末ＩＤは、本実施形態では、通信アドレスとされており、例えばＴＡ−１は、前記「１９２．１６８．１０．２５」とされる。
【０１０３】
ＳＶ監視処理部２１２から、第２イベント通知通信信号に収容されるデータの通知を受けると、動画閲覧時間送信設定部２１３は、前記受信した第１イベント通知通信信号の送信元の通信アドレスに対応する送信先の通信アドレスを、ＳＶ記憶部２２の通知先情報記憶部２２２から取り出し、この取り出した通信アドレスを持つ端末装置ＳＰ、ＴＡの端末ＩＤに対応した動画閲覧時間をＳＶ記憶部２２のＳＶ動画閲覧時間情報記憶部２２３から取り出し、この取り出した動画閲覧時間、および、この取り出した動画閲覧時間だけ動画をライブで端末装置ＳＰ、ＴＡに表示させる命令（指令、コマンド）を、前記データに加え、これらを収容した第２イベント通知通信信号を、前記送信先の通信アドレスを持つ端末装置ＳＰ、ＴＡへ送信する。
【０１０４】
このような第２態様では、被監視者監視システムＭＳ、管理サーバ装置ＳＶおよび中央処理方法は、端末装置ＳＰ、ＴＡごとに、すなわち、監視者ごとに複数の動画閲覧時間を所望の時間に設定でき、前記端末装置ＳＰ、ＴＡごとにライブでの動画の閲覧時間を可変できる。例えば、監視者が受け持つ被監視者Ｏｂが多い場合には、ライブでの動画を比較的長時間参照することで被監視者Ｏｂの様子を確実に判定してから、被監視者Ｏｂの所へ行くべきか否かを判定した方が総合的にロスが少なく、上記被監視者監視システムＭＳ、管理サーバ装置ＳＶおよび中央処理方法は、被監視者を多く受け持つ監視者の端末装置に前記動画閲覧時間を比較的長時間に設定できる。また例えば、携帯端末装置ＴＡを扱う監視者が例えば老眼等で判断に比較的時間が掛かる場合に、上記被監視者監視システムＭＳ、管理サーバ装置ＳＶおよび中央処理方法は、それに応じて動画閲覧時間を設定できる。また例えば、被監視者Ｏｂの動作が比較的ゆっくりであるために、被監視者Ｏｂを比較的長時間観察したい場合に、上記被監視者監視システムＭＳ、管理サーバ装置ＳＶおよび中央処理方法は、その被監視者Ｏｂを受け持つ監視者が扱う携帯端末装置ＴＡの動画閲覧時間を、それに応じて設定できる。
【０１０５】
第３および第４態様では、動画閲覧時間は、時間帯別ごとに複数であり、ＳＶ記憶部２２のＳＶ動画閲覧時間情報記憶部２２３に記憶され、動画閲覧時間送信設定部２１３は、このＳＶ動画閲覧時間情報記憶部２２３に記憶した時間帯別ごとの複数の動画閲覧時間のうちの、送信時刻を含む時間帯に対応する動画閲覧時間を、端末装置ＳＰ、ＴＡへ送信して、前記動画閲覧時間だけ前記動画をライブで前記端末装置ＳＰ、ＴＡに表示させる。
【０１０６】
このような第３および第４態様のうち、第３態様では、前記時間帯は、勤務のシフトに一致するものである。このような第３態様では、動画閲覧時間情報は、例えば、勤務のシフト（時間帯）と、端末装置ＳＰ、ＴＡ（すなわち、端末装置ＳＰ、ＴＡを扱う例えば介護士等）と、前記勤務のシフト（時間帯）に応じた動画閲覧時間との対応関係を表す情報であり、例えば、図１３に示すようにテーブル形式で動画閲覧時間情報記憶部２２３に記憶されている。この図１３に示す動画閲覧時間情報テーブル４４は、前記勤務のシフトを登録するシフトフィールド４４１と、シフトフィールド４４１に登録された前記勤務のシフトに勤務する介護士に付与された介護スタッフＩＤ（すなわち、介護スタッフＩＤの介護士が扱う端末装置ＳＰ、ＴＡに付与された端末ＩＤ（通信アドレス））を登録する介護スタッフフィールド４４２と、シフトフィールド４４１に登録された前記勤務のシフトに対応した動画閲覧時間を秒単位で登録する最大動画閲覧時間フィールド４４３とを備え、前記勤務のシフト（時間帯）ごとにレコードを持つ。図１３に示す動画閲覧時間情報テーブル４４において、例えば１番目のレコードには、シフトフィールド４４１に、前記勤務のシフトとして「２０１５／０５／０１  早番」が登録され、介護スタッフフィールド４４２に、介護士ＮＡさん、介護士ＮＢさんおよび介護士ＮＣさんそれぞれに付与された介護スタッフＩＤ；「ＮＡ、ＮＢ、ＮＣ」（携帯端末装置ＴＡ−１、ＴＡ−２、ＴＡ−３に付与された端末ＩＤ；「ＴＡ−１、ＴＡ−２、ＴＡ−３」（「１９２．１６８．１０．２５、１９２．１６８．１０．２６、１９２．１６８．１０．２７））が登録され、最大動画閲覧時間フィールド４４３に、「２０［秒］」が登録されている。
【０１０７】
ＳＶ監視処理部２１２から、第２イベント通知通信信号に収容されるデータの通知を受けると、動画閲覧時間送信設定部２１３は、送信時刻を含む時間帯に対応する動画閲覧時間を、ＳＶ記憶部２２のＳＶ動画閲覧時間情報記憶部２２３から取り出し、この取り出した動画閲覧時間、および、この取り出した動画閲覧時間だけ動画をライブで端末装置ＳＰ、ＴＡに表示させる命令（指令、コマンド）を、前記データに加え、前記受信した第１イベント通知通信信号の送信元の通信アドレスに対応する送信先の通信アドレスを、ＳＶ記憶部２２の通知先情報記憶部２２２から取り出し、この取り出した通信アドレスを送信先とし、前記動画閲覧時間および前記命令を加えた前記データを収容した第２イベント通知通信信号を送信する。
【０１０８】
第４態様では、動画閲覧時間情報は、例えば、時間帯と、前記時間帯に応じた動画閲覧時間との対応関係を表す情報であり、例えば、図１４に示すようにテーブル形式で動画閲覧時間情報記憶部２２３に記憶されている。この図１４に示す動画閲覧時間情報テーブル４５は、時間帯を登録する時間帯フィールド４５１と、時間帯フィールド４５１に登録された前記時間帯に対応した動画閲覧時間を秒単位で登録する最大動画閲覧時間フィールド４５２とを備え、前記時間帯ごとにレコードを持つ。図１４に示す動画閲覧時間情報テーブル４５において、例えば１番目のレコードには、時間帯フィールド４５１に、前記時間帯として「０８：００〜１２：００」が登録され、最大動画閲覧時間フィールド４５２に、「２０［秒］」が登録されている。
【０１０９】
ＳＶ監視処理部２１２から、第２イベント通知通信信号に収容されるデータの通知を受けると、動画閲覧時間送信設定部２１３は、送信時刻を含む時間帯に対応する動画閲覧時間を、ＳＶ記憶部２２のＳＶ動画閲覧時間情報記憶部２２３から取り出し、この取り出した動画閲覧時間、および、この取り出した動画閲覧時間だけ動画をライブで端末装置ＳＰ、ＴＡに表示させる命令（指令、コマンド）を、前記データに加え、前記受信した第１イベント通知通信信号の送信元の通信アドレスに対応する送信先の通信アドレスを、ＳＶ記憶部２２の通知先情報記憶部２２２から取り出し、この取り出した通信アドレスを送信先とし、前記動画閲覧時間および前記命令を加えた前記データを収容した第２イベント通知通信信号を送信する。
【０１１０】
上記被監視者監視システムＭＳ、管理サーバ装置ＳＶおよび中央処理方法は、例えば勤務のシフト等の時間帯別ごとに複数の動画閲覧時間を所望の時間に設定でき、前記時間帯別ごとにライブでの動画の閲覧時間を可変できる。例えば、通常、準夜勤（遅番）の時間帯や夜勤の時間帯は、日勤（早番）の時間帯より、勤務している監視者が少なく、上述の状況となるので、上記被監視者監視システムＭＳ、管理サーバ装置ＳＶおよび中央処理方法は、日勤の時間帯、準夜勤の時間帯および夜勤の時間帯に応じて適宜に前記動画閲覧時間を設定できる。また例えば、勤務している監視者が少なければ、やはり上述の状況となるので、上記被監視者監視システムＭＳ、管理サーバ装置ＳＶおよび中央処理方法は、勤務している監視者の人数に応じて適宜に前記動画閲覧時間を設定できる。
【０１１１】
また、上述の実施形態では、第２イベント通知通信信号が送信される際に、当該第２イベント通知通信信号に動画閲覧時間が収容されたが、動画閲覧時間情報テーブル４２〜４５がセンサ装置ＳＵや端末装置ＳＰ、ＴＡに記憶されても良い。
【０１１２】
本明細書は、上記のように様々な態様の技術を開示しているが、そのうち主な技術を以下に纏める。
【０１１３】
一態様にかかる被監視者監視システムの中央処理装置は、被監視者における所定の行動を検知するためのセンサ装置と、所定のイベントが前記センサ装置で生じた場合に前記所定のイベントの通知を受け、前記センサ装置で生成された動画を表示するための端末装置と、前記センサ装置および前記端末装置それぞれと通信可能に接続され、前記センサ装置から前記所定のイベントの通知を受けて前記端末装置へ通知するための中央処理装置とを備える被監視者監視システムの前記中央処理装置であって、前記所定のイベントの通知を受けた場合に前記動画をライブで閲覧できる閲覧時間である動画閲覧時間を記憶する記憶部と、前記記憶部に記憶した動画閲覧時間を前記端末装置へ送信して前記所定のイベントの通知を受けた場合に前記動画閲覧時間だけ前記動画をライブで前記端末装置に表示させる動画閲覧時間送信設定部とを備える。好ましくは、他の一態様では、上述の中央処理装置において、前記所定のイベントがナースコールである。
【０１１４】
このような被監視者監視システムの中央処理装置は、前記動画閲覧時間を記憶する記憶部を備え、この動画閲覧時間を端末装置へ送信して動画閲覧時間だけ前記動画をライブで前記端末装置に表示させる。したがって、上記中央処理装置は、ライブ映像の閲覧時間を可変できる。
【０１１５】
他の一態様では、ナースコールを受け付け、動画を生成し、被監視者における所定の行動を検知するためのセンサ装置と、前記センサ装置と通信可能に接続され、前記ナースコールを受け付けた受付事象および前記所定の行動を検知した検知事象を含む所定のイベントが前記センサ装置で生じた場合に前記所定のイベントの通知を受け、前記センサ装置との間で通話し、前記センサ装置で生成された動画を表示するための端末装置と、前記センサ装置および前記端末装置それぞれと通信可能に接続され、前記センサ装置から前記所定のイベントの通知を受けて前記所定のイベントを管理し、前記受けた前記所定のイベントを前記端末装置へ通知するための中央処理装置とを備える被監視者監視システムの前記中央処理装置は、前記ナースコールの場合に前記動画をライブで閲覧できる閲覧時間であるナースコール動画閲覧時間を記憶する記憶部と、前記記憶部に記憶したナースコール動画閲覧時間を前記端末装置へ送信して前記ナースコールの場合に前記ナースコール動画閲覧時間だけ前記動画をライブで前記端末装置に表示させる動画閲覧時間送信設定部とを備える。
【０１１６】
このような被監視者監視システムの中央処理装置は、前記ナースコール動画閲覧時間を記憶する記憶部を備え、このナースコール動画閲覧時間を端末装置へ送信してナースコールの場合に前記ナースコール動画閲覧時間だけ前記動画をライブで前記端末装置に表示させる。このため、上記被監視者監視システムの中央処理装置は、前記記憶部に記憶されるナースコール動画閲覧時間を変えることで、ナースコールの場合におけるライブでの動画の閲覧時間（ライブ映像の閲覧時間）を可変できる。また、上記被監視者監視システムの中央処理装置は、必要最小限なナースコール動画閲覧時間を設定することが可能であるので、被監視者のプライバシーや通信ネットワークのトラフィックに与える影響を配慮しつつ、被監視者を適切に観察できる。
【０１１７】
他の一態様では、これら上述の被監視者監視システムの中央処理装置において、前記ナースコール動画閲覧時間は、０である。
【０１１８】
ナースコールは、例えば要介護者等の被監視者が例えば介護士等の監視者に来て欲しいと思って実行されることが多い。上記被監視者監視システムの中央処理装置は、ナースコール動画閲覧時間が０に設定されるので、ナースコールの場合におけるライブでの動画の閲覧が不可となるから、可及的速やかに被監視者の所へ行くように監視者に促すことができる。前記ナースコールの場合におけるライブでの動画の閲覧が不可となるので、上記被監視者監視システムの中央処理装置は、被監視者のプライバシーを守ることができ、動画の配信に関して通信ネットワークのトラフィックに影響を与えない。
【０１１９】
他の一態様では、これら上述の被監視者監視システムの中央処理装置において、前記記憶部は、前記動画をライブで閲覧できる閲覧時間である動画閲覧時間をさらに記憶し、前記動画閲覧時間送信設定部は、前記記憶部に記憶した動画閲覧時間を前記端末装置へ送信して前記動画閲覧時間だけ前記動画をライブで前記端末装置に表示させ、前記動画閲覧時間を受け付ける動画閲覧時間受付部と、前記動画閲覧時間受付部で受け付けた前記動画閲覧時間を前記記憶部に記憶する動画閲覧時間処理部とをさらに備える。
【０１２０】
このような被監視者監視システムの中央処理装置は、動画閲覧時間受付部で動画閲覧時間を受け付け、この受け付けた動画閲覧時間を動画閲覧時間処理部で記憶部に記憶するので、例えば監視者等のユーザによって動画閲覧時間を所望の時間に設定でき、ライブでの動画の閲覧時間を可変できる。例えば、ユーザは、例えば年齢、病気や怪我の程度および介護レベル等の被監視者の状況に応じて動画閲覧時間を適宜に設定できる。上記被監視者監視システムの中央処理装置は、必要最小限な動画閲覧時間を設定することが可能であるので、被監視者のプライバシーや通信ネットワークのトラフィックに与える影響を配慮しつつ、被監視者を適切に観察できる。
【０１２１】
他の一態様では、これら上述の被監視者監視システムの中央処理装置において、前記動画閲覧時間は、前記所定のイベントにおける前記検知事象の種別ごとに複数であり、前記動画閲覧時間送信設定部は、前記記憶部に記憶した前記種別ごとの複数の動画閲覧時間のうちの、前記所定のイベントの通知を受けた場合において前記通知を受けた前記所定のイベントにおける前記検知事象の種別に応じた動画閲覧時間を、前記端末装置へ送信して、前記動画閲覧時間だけ前記動画をライブで前記端末装置に表示させる。
【０１２２】
このような被監視者監視システムの中央処理装置は、検知事象の種別ごとに、すなわち、被監視者における所定の行動の種別ごとに複数の動画閲覧時間を所望の時間に設定でき、前記検知事象の種別ごと（行動の種別ごと）にライブでの動画の閲覧時間を可変できる。例えば、前記所定の行動が転倒や転落である場合、被監視者に転倒や転落が生じたか否かということは、被監視者が横たわっているか否かで判定できるため、監視者は、ライブでの動画を比較的短時間、参照することで、被監視者に転倒や転落が生じたか否かを判定できる。このため、転倒の場合に対応する動画閲覧時間（転倒動画閲覧時間）や転落の場合に対応する動画閲覧時間（転落動画閲覧時間）は、比較的短時間で良く、上記被監視者監視システムの中央処理装置は、前記転倒動画閲覧時間や前記転落動画閲覧時間を比較的短時間に設定できる。また例えば、前記所定の行動が起床や離床である場合、被監視者に起床や離床が生じたか否かということは、被監視者が例えば年齢、病気や怪我の程度および介護レベル等が高い場合、動作が緩慢になるため、監視者は、ライブでの動画を比較的長時間、参照する必要がある。このため、起床の場合に対応する動画閲覧時間（起床動画閲覧時間）や離床の場合に対応する動画閲覧時間（離床動画閲覧時間）は、比較的長時間であることが好ましく、上記被監視者監視システムの中央処理装置は、前記起床動画閲覧時間や前記離床動画閲覧時間を比較的長時間に設定できる。このように上記被監視者監視システムの中央処理装置は、転倒や転落の場合における動画閲覧時間と起床や離床の場合における動画閲覧時間とを互いに異なる時間に設定できる。また、起床や離床の場合に、被監視者の所に監視者が行って介助等を行うことで、起床や離床後に生じる可能性のある転落や転倒を未然に防止することもできる。
【０１２３】
他の一態様では、上述の被監視者監視システムの中央処理装置において、前記端末装置は、複数であり、前記動画閲覧時間は、前記複数の端末装置ごとに複数であり、前記動画閲覧時間送信設定部は、前記記憶部に記憶した前記複数の端末装置ごとの複数の動画閲覧時間のうちの、送信先の端末装置に対応する動画閲覧時間を、前記送信先の端末装置へ送信して、前記動画閲覧時間だけ前記動画をライブで前記送信先の端末装置に表示させる。
【０１２４】
前記端末装置は、通常、監視者に携帯される。上記被監視者監視システムの中央処理装置は、端末装置ごとに、すなわち、監視者ごとに複数の動画閲覧時間を所望の時間に設定でき、前記端末装置ごとにライブでの動画の閲覧時間を可変できる。例えば、監視者が受け持つ被監視者が多い場合には、ライブでの動画を比較的長時間参照することで被監視者の様子を確実に判定してから、被監視者の所へ行くべきか否かを判定した方が総合的にロスが少なく、上記被監視者監視システムの中央処理装置は、被監視者を多く受け持つ監視者の端末装置に前記動画閲覧時間を比較的長時間に設定できる。
【０１２５】
他の一態様では、上述の被監視者監視システムの中央処理装置において、前記動画閲覧時間は、時間帯別ごとに複数であり、前記動画閲覧時間送信設定部は、前記記憶部に記憶した前記時間帯別ごとの複数の動画閲覧時間のうちの、送信時刻を含む時間帯に対応する動画閲覧時間を、前記端末装置へ送信して、前記動画閲覧時間だけ前記動画をライブで前記端末装置に表示させる。上述の被監視者監視システムの中央処理装置において、前記時間帯は、勤務のシフトに一致することが好ましい。
【０１２６】
このような被監視者監視システムの中央処理装置は、時間帯別ごとに複数の動画閲覧時間を所望の時間に設定でき、前記時間帯別ごとにライブでの動画の閲覧時間を可変できる。例えば、通常、準夜勤（遅番）の時間帯や夜勤の時間帯は、日勤（早番）の時間帯より、勤務している監視者が少なく、上述の状況となるので、上記被監視者監視システムの中央処理装置は、日勤の時間帯、準夜勤の時間帯および夜勤の時間帯に応じて適宜に前記動画閲覧時間を設定できる。また例えば、勤務している監視者が少なければ、やはり上述の状況となるので、上記被監視者監視システムの中央処理装置は、勤務している監視者の人数に応じて適宜に前記動画閲覧時間を設定できる。
【０１２７】
他の一態様にかかる被監視者監視システムの中央処理方法は、被監視者における所定の行動を検知するためのセンサ装置と、所定のイベントが前記センサ装置で生じた場合に前記所定のイベントの通知を受け、前記センサ装置で生成された動画を表示するための端末装置と、前記センサ装置および前記端末装置それぞれと通信可能に接続され、前記センサ装置から前記所定のイベントの通知を受けて前記端末装置へ通知するための中央処理装置とを備える被監視者監視システムの前記中央処理装置で実行される中央処理方法であって、前記所定のイベントの通知を受けた場合に前記動画をライブで閲覧できる閲覧時間である動画閲覧時間を記憶部に記憶する記憶工程と、前記記憶部に記憶した動画閲覧時間を前記端末装置へ送信して前記所定のイベントの通知を受けた場合に前記動画閲覧時間だけ前記動画をライブで前記端末装置に表示させる動画閲覧時間送信設定工程とを備える。
【０１２８】
このような被監視者監視システムの中央処理方法は、前記動画閲覧時間を記憶部に記憶し、この動画閲覧時間を端末装置へ送信して動画閲覧時間だけ前記動画をライブで前記端末装置に表示させる。したがって、上記中央処理方法は、ライブ映像の閲覧時間を可変できる。
【０１２９】
他の一態様では、ナースコールを受け付け、動画を生成し、被監視者における所定の行動を検知するためのセンサ装置と、前記センサ装置と通信可能に接続され、前記ナースコールを受け付けた受付事象および前記所定の行動を検知した検知事象を含む所定のイベントが前記センサ装置で生じた場合に前記所定のイベントの通知を受け、前記センサ装置との間で通話し、前記センサ装置で生成された動画を表示するための端末装置と、前記センサ装置および前記端末装置それぞれと通信可能に接続され、前記センサ装置から前記所定のイベントの通知を受けて前記所定のイベントを管理し、前記受けた前記所定のイベントを前記端末装置へ通知するための中央処理装置とを備える被監視者監視システムにおける前記中央処理装置で実行される中央処理方法は、前記ナースコールの場合に前記動画をライブで閲覧する閲覧時間であるナースコール動画閲覧時間を記憶部に記憶する記憶工程と、前記記憶部に記憶したナースコール動画閲覧時間を前記端末装置へ送信して前記ナースコールの場合に前記ナースコール動画閲覧時間だけ前記動画をライブで前記端末装置に表示させる動画閲覧時間送信設定工程とを備える。
【０１３０】
このような被監視者監視システムの中央処理方法は、前記ナースコール動画閲覧時間を記憶部に記憶し、このナースコール動画閲覧時間を端末装置へ送信してナースコールの場合に前記ナースコール動画閲覧時間だけ前記動画をライブで前記端末装置に表示させる。このため、上記被監視者監視システムの中央処理方法は、前記記憶部に記憶されるナースコール動画閲覧時間を変えることで、ナースコールの場合におけるライブでの動画の閲覧時間（ライブ映像の閲覧時間）を可変できる。上記被監視者監視システムの中央処理方法は、必要最小限なナースコール動画閲覧時間を設定することが可能であるので、被監視者のプライバシーや通信ネットワークのトラフィックに与える影響を配慮しつつ、被監視者を適切に観察できる。
【０１３１】
他の一態様にかかる被監視者監視システムは、被監視者における所定の行動を検知するためのセンサ装置と、所定のイベントが前記センサ装置で生じた場合に前記所定のイベントの通知を受け、前記センサ装置で生成された動画を表示するための端末装置と、前記センサ装置および前記端末装置それぞれと通信可能に接続され、前記センサ装置から前記所定のイベントの通知を受けて前記端末装置へ通知するための中央処理装置とを備える被監視者監視システムであって、前記中央処理装置は、これら上述のいずれかの中央処理装置である。
【０１３２】
このような被監視者監視システムは、ライブ映像の閲覧時間を可変できる。
【０１３３】
他の一態様では、ナースコールを受け付け、動画を生成し、被監視者における所定の行動を検知するためのセンサ装置と、前記センサ装置と通信可能に接続され、前記ナースコールを受け付けた受付事象および前記所定の行動を検知した検知事象を含む所定のイベントが前記センサ装置で生じた場合に前記所定のイベントの通知を受け、前記センサ装置との間で通話し、前記センサ装置で生成された動画を表示するための端末装置と、前記センサ装置および前記端末装置それぞれと通信可能に接続され、前記センサ装置から前記所定のイベントの通知を受けて前記所定のイベントを管理し、前記受けた前記所定のイベントを前記端末装置へ通知するための中央処理装置とを備える被監視者監視システムであって、前記中央処理装置は、これら上述のいずれかの中央処理装置である。
【０１３４】
このような被監視者監視システムは、前記記憶部に記憶されるナースコール動画閲覧時間を変えることで、ナースコールの場合におけるライブでの動画の閲覧時間（ライブ映像の閲覧時間）を可変できる。また、上記被監視者監視システムは、必要最小限なナースコール動画閲覧時間を設定することが可能であるので、被監視者のプライバシーや通信ネットワークのトラフィックに与える影響を配慮しつつ、被監視者を適切に観察できる。
【０１３５】
この出願は、２０１５年７月１４日に出願された日本国特許出願特願２０１５−１４０１４９を基礎とするものであり、その内容は、本願に含まれるものである。
【０１３６】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１３７】
本発明によれば、被監視者監視システムの中央処理装置および中央処理方法ならびに被監視者監視システムが提供できる。
【図１】
2017010138.tif 000003
【図２】
2017010138.tif 000004
【図３】
2017010138.tif 000005
【図４】
2017010138.tif 000006
【図５】
2017010138.tif 000007
【図６】
2017010138.tif 000008
【図７】
2017010138.tif 000009
【図８】
2017010138.tif 000010
【図９】
2017010138.tif 000011
【図１０】
2017010138.tif 000012
【図１１】
2017010138.tif 000013
【図１２】
2017010138.tif 000014
【図１３】
2017010138.tif 000015
【図１４】
2017010138.tif 000016
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
被監視者における所定の行動を検知するためのセンサ装置と、所定のイベントが前記センサ装置で生じた場合に前記所定のイベントの通知を受け、前記センサ装置で生成された動画を表示するための端末装置と、前記センサ装置および前記端末装置それぞれと通信可能に接続され、前記センサ装置から前記所定のイベントの通知を受けて前記端末装置へ通知するための中央処理装置とを備える被監視者監視システムの前記中央処理装置であって、
前記所定のイベントの通知を受けた場合に前記動画をライブで閲覧できる閲覧時間である動画閲覧時間を記憶する記憶部と、
前記記憶部に記憶した動画閲覧時間を前記端末装置へ送信して前記所定のイベントの通知を受けた場合に前記動画閲覧時間だけ前記動画をライブで前記端末装置に表示させる動画閲覧時間送信設定部とを備え、
前記所定のイベントがナースコールである、
被監視者監視システムの中央処理装置。
【請求項２】
前記ナースコール動画閲覧時間は、０である、
請求項１に記載の被監視者監視システムの中央処理装置。
【請求項３】
被監視者における所定の行動を検知するためのセンサ装置と、所定のイベントが前記センサ装置で生じた場合に前記所定のイベントの通知を受け、前記センサ装置で生成された動画を表示するための端末装置と、前記センサ装置および前記端末装置それぞれと通信可能に接続され、前記センサ装置から前記所定のイベントの通知を受けて前記端末装置へ通知するための中央処理装置とを備える被監視者監視システムの前記中央処理装置であって、
前記所定のイベントの通知を受けた場合に前記動画をライブで閲覧できる閲覧時間である動画閲覧時間を記憶する記憶部と、
前記記憶部に記憶した動画閲覧時間を前記端末装置へ送信して前記所定のイベントの通知を受けた場合に前記動画閲覧時間だけ前記動画をライブで前記端末装置に表示させる動画閲覧時間送信設定部とを備え、
前記所定のイベントがナースコールであり、
前記記憶部は、前記動画をライブで閲覧できる閲覧時間である動画閲覧時間をさらに記憶し、
前記動画閲覧時間送信設定部は、前記記憶部に記憶した動画閲覧時間を前記端末装置へ送信して前記動画閲覧時間だけ前記動画をライブで前記端末装置に表示させ、
前記動画閲覧時間を受け付ける動画閲覧時間受付部と、
前記動画閲覧時間受付部で受け付けた前記動画閲覧時間を前記記憶部に記憶する動画閲覧時間処理部とをさらに備えること
被監視者監視システムの中央処理装置。
【請求項４】
前記動画閲覧時間は、前記所定のイベントにおける前記検知事象の種別ごとに複数であり、
前記動画閲覧時間送信設定部は、前記記憶部に記憶した前記種別ごとの複数の動画閲覧時間のうちの、前記所定のイベントの通知を受けた場合において前記通知を受けた前記所定のイベントにおける前記検知事象の種別に応じた動画閲覧時間を、前記端末装置へ送信して、前記動画閲覧時間だけ前記動画をライブで前記端末装置に表示させること
を特徴とする請求項３に記載の被監視者監視システムの中央処理装置。
【請求項５】
前記端末装置は、複数であり、
前記動画閲覧時間は、前記複数の端末装置ごとに複数であり、
前記動画閲覧時間送信設定部は、前記記憶部に記憶した前記複数の端末装置ごとの複数の動画閲覧時間のうちの、送信先の端末装置に対応する動画閲覧時間を、前記送信先の端末装置へ送信して、前記動画閲覧時間だけ前記動画をライブで前記送信先の端末装置に表示させること
を特徴とする請求項３に記載の被監視者監視システムの中央処理装置。
【請求項６】
前記動画閲覧時間は、時間帯別ごとに複数であり、
前記動画閲覧時間送信設定部は、前記記憶部に記憶した前記時間帯別ごとの複数の動画閲覧時間のうちの、送信時刻を含む時間帯に対応する動画閲覧時間を、前記端末装置へ送信して、前記動画閲覧時間だけ前記動画をライブで前記端末装置に表示させること
を特徴とする請求項３に記載の被監視者監視システムの中央処理装置。
【請求項７】
被監視者における所定の行動を検知するためのセンサ装置と、所定のイベントが前記センサ装置で生じた場合に前記所定のイベントの通知を受け、前記センサ装置で生成された動画を表示するための端末装置と、前記センサ装置および前記端末装置それぞれと通信可能に接続され、前記センサ装置から前記所定のイベントの通知を受けて前記端末装置へ通知するための中央処理装置とを備える被監視者監視システムの前記中央処理装置で実行される中央処理方法であって、
前記所定のイベントの通知を受けた場合に前記動画をライブで閲覧できる閲覧時間である動画閲覧時間を記憶部に記憶する記憶工程と、
前記記憶部に記憶した動画閲覧時間を前記端末装置へ送信して前記所定のイベントの通知を受けた場合に前記動画閲覧時間だけ前記動画をライブで前記端末装置に表示させる動画閲覧時間送信設定工程とを備え、
前記所定のイベントがナースコールである、
中央処理方法。
【請求項８】
被監視者における所定の行動を検知するためのセンサ装置と、所定のイベントが前記センサ装置で生じた場合に前記所定のイベントの通知を受け、前記センサ装置で生成された動画を表示するための端末装置と、前記センサ装置および前記端末装置それぞれと通信可能に接続され、前記センサ装置から前記所定のイベントの通知を受けて前記端末装置へ通知するための中央処理装置とを備える被監視者監視システムの前記中央処理装置で実行される中央処理方法であって、
前記所定のイベントの通知を受けた場合に前記動画をライブで閲覧できる閲覧時間である動画閲覧時間を記憶部に記憶する記憶工程と、
前記記憶部に記憶した動画閲覧時間を前記端末装置へ送信して前記所定のイベントの通知を受けた場合に前記動画閲覧時間だけ前記動画をライブで前記端末装置に表示させる動画閲覧時間送信設定工程とを備え、
前記所定のイベントがナースコールであり、
前記記憶工程は、前記動画をライブで閲覧できる閲覧時間である動画閲覧時間を前記記憶部にさらに記憶し、
前記動画閲覧時間送信設定工程は、前記記憶部に記憶した動画閲覧時間を前記端末装置へ送信して前記動画閲覧時間だけ前記動画をライブで前記端末装置に表示させ、
前記動画閲覧時間を受け付ける動画閲覧時間受付工程と、
前記動画閲覧時間受付工程で受け付けた前記動画閲覧時間を前記記憶部に記憶する動画閲覧時間処理工程とをさらに備える、
中央処理方法。
【請求項９】
被監視者における所定の行動を検知するためのセンサ装置と、所定のイベントが前記センサ装置で生じた場合に前記所定のイベントの通知を受け、前記センサ装置で生成された動画を表示するための端末装置と、前記センサ装置および前記端末装置それぞれと通信可能に接続され、前記センサ装置から前記所定のイベントの通知を受けて前記端末装置へ通知するための中央処理装置とを備える被監視者監視システムであって、
前記中央処理装置は、請求項１ないし請求項６のいずれか１項に記載の中央処理装置である、
被監視者監視システム。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
要看護者および要介護者のうちの少なくとも一方の被監視者が所在を予定している空間を撮影し、動画を生成して送信する撮影手段と、
前記被監視者における所定の行動、又はナースコールを検知する検知手段と、
前記撮影手段から送信された動画を受信し、ライブで表示する表示手段と、
前記所定の行動又はナースコールに対応して、前記表示手段に前記動画をライブで表示する動画閲覧時間を設定する設定手段と、
前記検知手段により前記所定の行動又はナースコールが検知された場合、前記設定手段によって設定された前記動画閲覧時間だけ前記表示手段に前記動画をライブで表示させる制御手段と、
を有する被監視者監視システム。
【請求項２】
前記所定の行動は、複数種別あり、
前記設定手段は、前記所定の行動について、前記種別に対応して前記動画閲覧時間をそれぞれ設定することを特徴とする請求項１に記載の被監視者監視システム。
【請求項３】
前記所定の行動は、起床、離床、転倒、転落又は微体動異常の何れを含むことを特徴とする請求項１又は２に記載の被監視者監視システム。
【請求項４】
前記検知手段により前記所定の行動が検知された場合、前記所定の行動の種別を示すための通知を送信する通知手段を更に有し、
前記表示手段は、前記通知手段から送信された通知を受信し、前記通知を受信した場合、前記所定の行動の種別を示し、前記動画をライブで表示させる指示を受け付けてから前記動画をライブで表示することを特徴とする請求項１から３の何れか一項に記載の被監視者監視システム。
【請求項５】
前記通知手段は、前記所定の行動の種別を示すための通知として、前記被監視者の静止画の画像データを送信することを特徴とする請求項４に記載の被監視者監視システム。
【請求項６】
前記表示手段を複数有することを特徴とする請求項１から５の何れか一項に記載の被監視者監視システム。
【請求項７】
前記表示手段は、持ち運び可能な通信端末装置によって構成されることを特徴とする請求項１から６の何れか一項に記載の被監視者監視システム。
【請求項８】
前記表示手段は、タブレット型コンピュータ、スマートフォン又は携帯電話機の何れかを含むことを特徴とする請求項７に記載の被監視者監視システム。
【請求項９】
前記動画閲覧時間を記憶する記憶手段を更に有し、
前記検知手段により前記所定の行動が検知された場合、前記通知手段は、前記所定の行動の種別を示すための通知を前記記憶手段に送信し、
前記記憶手段は、前記通知手段から送信された通知を受信し、前記通知を受信した場合、前記所定の行動の種別に対応する動画閲覧時間を取り出し、前記所定の行動の種別を示すための通知とともに前記表示手段に送信することを特徴とする請求項４から８の何れか一項に記載の被監視者監視システム。
【請求項１０】
前記設定手段は、前記所定の行動又はナースコールを検知した時間帯に対応して、前記動画閲覧時間を設定することを特徴とする請求項１から９の何れか一項に記載の被監視者監視システム。
【請求項１１】
要看護者および要介護者のうちの少なくとも一方の被監視者が所在を予定している空間を撮影し、動画を生成して送信する撮影工程と、
前記被監視者における所定の行動、又はナースコールを検知する検知工程と、
前記撮影工程において送信された動画を受信し、ライブで表示する表示工程と、
前記所定の行動又はナースコールに対応して、前記表示工程において前記動画をライブで表示する動画閲覧時間を設定する設定工程と、
前記検知工程において前記所定の行動又はナースコールが検知された場合、前記表示工程において、前記設定工程において設定された前記動画閲覧時間だけ前記動画をライブで表示させる制御工程と、
を有する被監視者監視システムの作動方法。
【請求項１２】
要看護者および要介護者のうちの少なくとも一方の被監視者が所在を予定している空間を撮影し、動画を生成して送信する撮影装置と、
前記被監視者における所定の行動、又はナースコールを検知する検知装置と、
前記撮影手段から送信された動画を受信し、ライブで表示する端末装置と、
前記所定の行動又はナースコールに対応して、前記表示手段に前記動画をライブで表示する動画閲覧時間を設定する設定装置と、
を有する被監視者監視システムに含まれる中央処理装置であって、
前記動画閲覧時間を記憶する記憶部と、
前記検知装置により前記所定の行動又はナースコールが検知された場合、前記設定装置によって設定された前記動画閲覧時間だけ前記表示装置に前記動画をライブで表示させる制御部と、
を有する被監視者監視システムの中央処理装置。
【手続補正３】
【補正対象書類名】明細書
【補正対象項目名】０００１
【補正方法】変更
【補正の内容】
【０００１】
本発明は、被監視者を監視するための被監視者監視システム、被監視者監視システムの作動方法および被監視者監視システムの中央処理装置に関する。
【手続補正４】
【補正対象書類名】明細書
【補正対象項目名】００１０
【補正方法】変更
【補正の内容】
【００１０】
本発明は、上述の事情に鑑みて為された発明であり、その目的は、ライブ映像の閲覧時間を可変できる被監視者監視システム、被監視者監視システムの作動方法および被監視者監視システムの中央処理装置を提供することである。
【手続補正５】
【補正対象書類名】明細書
【補正対象項目名】００１１
【補正方法】変更
【補正の内容】
【００１１】
本発明にかかる被監視者監視システムは、要看護者および要介護者のうちの少なくとも一方の被監視者が所在を予定している空間を撮影し、動画を生成して送信する撮影手段と、前記被監視者における所定の行動、又はナースコールを検知する検知手段と、前記撮影手段から送信された動画を受信し、ライブで表示する表示手段と、前記所定の行動又はナースコールに対応して、前記表示手段に前記動画をライブで表示する動画閲覧時間を設定する設定手段と、前記検知手段により前記所定の行動又はナースコールが検知された場合、前記設定手段によって設定された前記動画閲覧時間だけ前記表示手段に前記動画をライブで表示させる制御手段と、を有する。
【国際調査報告】
2017010138.tif 000017
2017010138.tif 000018
2017010138.tif 000019
2017010138.tif 000020